(57)【要約】【課題】ユーザの利便性をより向上させることを可能にする。【解決手段】面状に並べられた複数の光出射点を有し前記光出射点の各々からの出射光が制御されることにより照明光を照射する照明装置について、前記光出射点の各々からの出射光を制御する条件である照明条件を決定する照明条件決定部、を備え、前記照明条件決定部は、所定の情報に基づいて前記照明条件を自動的に決定する、制御装置を提供する。【選択図】図７
2018142771.tif 000002
【特許請求の範囲】
【請求項１】
面状に並べられた複数の光出射点を有し前記光出射点の各々からの出射光がそれぞれ制御されることにより照明光を照射する照明装置について、前記光出射点の各々からの出射光を制御する条件である照明条件を決定する照明条件決定部、
を備え、
前記照明条件決定部は、所定の情報に基づいて前記照明条件を自動的に決定する、
制御装置。
【請求項２】
前記照明条件に従って前記照明装置の前記光出射点の各々からの出射光を制御することにより、前記照明装置から照射される照明光を制御する照明駆動制御部、
を更に備える、
請求項１に記載の制御装置。
【請求項３】
前記照明装置は、写真撮影時における照明装置として用いられ、
前記所定の情報は、前記照明装置を用いて過去に撮影が行われた際の前記照明条件及び被写体の色情報を含む画像データである色画像データを少なくとも含む過去の撮影データ、又は、過去に取得された任意の写真データである、
請求項１に記載の制御装置。
【請求項４】
前記照明条件決定部は、過去の前記撮影データに含まれる過去の前記照明条件を、現在の照明条件として決定する、
請求項３に記載の制御装置。
【請求項５】
前記照明条件決定部は、現在取得されている被写体の前記色画像データと、過去の前記撮影データに含まれる過去の被写体の前記色画像データと、を比較することにより、過去の被写体の前記色画像データが再現されるように、現在の照明条件を決定する、
請求項４に記載の制御装置。
【請求項６】
過去の前記撮影データには、過去の撮影時における被写体のデプスデータ、が更に含まれ、
前記照明条件決定部は、現在取得されている被写体のデプスデータと、過去の前記撮影データに含まれる過去の被写体のデプスデータと、を更に用いて、過去の被写体の前記色画像データが再現されるように、現在の照明条件を決定する、
請求項５に記載の制御装置。
【請求項７】
前記照明条件決定部は、現在取得されている被写体の前記色画像データと、過去の前記写真データの被写体の前記色画像データと、を比較することにより、過去の被写体の前記色画像データが再現されるように、現在の照明条件を決定する、
請求項３に記載の制御装置。
【請求項８】
前記照明条件決定部は、現在取得されている被写体のデプスデータを更に用いて、過去の被写体の前記色画像データが再現されるように、現在の照明条件を決定する、
請求項７に記載の制御装置。
【請求項９】
前記照明装置は、ユーザが鏡で自身を確認する際における照明装置として用いられ、
前記所定の情報は、過去に前記照明装置が鏡の照明として使用された際の、前記照明条件及び前記ユーザの色情報を含む画像データである色画像データを少なくとも含む過去の撮影データ、又は、過去に取得された任意の写真データである、
請求項１に記載の制御装置。
【請求項１０】
前記照明条件決定部は、過去の前記撮影データに含まれる過去の前記照明条件を、現在の照明条件として決定する、
請求項９に記載の制御装置。
【請求項１１】
前記照明条件決定部は、現在取得されているユーザの前記色画像データと、過去の前記撮影データに含まれる過去のユーザの前記色画像データと、を比較することにより、過去のユーザの前記色画像データが再現されるように、現在の照明条件を決定する、
請求項１０に記載の制御装置。
【請求項１２】
過去の前記撮影データには、過去に前記照明装置が鏡の照明として使用された際のユーザのデプスデータ、が更に含まれ、
前記照明条件決定部は、現在取得されているユーザのデプスデータと、過去の前記撮影データに含まれる過去のユーザのデプスデータと、を更に用いて、過去のユーザの前記色画像データが再現されるように、現在の照明条件を決定する、
請求項１１に記載の制御装置。
【請求項１３】
前記照明条件決定部は、現在取得されているユーザの前記色画像データと、過去の前記写真データの被写体の前記色画像データと、を比較することにより、過去の被写体の前記色画像データが再現されるように、現在の照明条件を決定する、
請求項９に記載の制御装置。
【請求項１４】
前記照明条件決定部は、現在取得されているユーザのデプスデータを更に用いて、過去の被写体の前記色画像データが再現されるように、現在の照明条件を決定する、
請求項１３に記載の制御装置。
【請求項１５】
前記照明装置は、部屋の照明装置として用いられ、
前記所定の情報は、前記部屋のレイアウトデータ、又は前記部屋の中でユーザが視聴しているコンテンツについての情報である、
請求項１に記載の制御装置。
【請求項１６】
前記照明条件決定部は、前記部屋のレイアウトデータ、並びに前記部屋の中の物体の色情報を含む画像データである色画像データ及びデプスデータに基づいて前記部屋の中の状況を推測し、その推測結果に基づいて所望の照明効果が得られるように、前記照明条件を決定する、
請求項１５に記載の制御装置。
【請求項１７】
前記照明装置は、ユーザに対して通知される対象となる情報である通知対象情報を前記ユーザに通知するための通知デバイスとして用いられ、
前記所定の情報は、前記通知対象情報である、
請求項１に記載の制御装置。
【請求項１８】
前記照明装置は、バックライトと、液晶パネルと、レンチキュラーシートと、が積層された構成を有する、
請求項１に記載の制御装置。
【請求項１９】
面状に並べられた複数の光出射点を有し前記光出射点の各々からの出射光がそれぞれ制御されることにより照明光を照射する照明装置について、プロセッサが、前記光出射点の各々からの出射光を制御する条件である照明条件を決定すること、
を含み、
前記照明条件を決定する際には、所定の情報に基づいて前記照明条件が自動的に決定される、
制御方法。
【請求項２０】
面状に並べられた複数の光出射点を有し前記光出射点の各々からの出射光がそれぞれ制御されることにより照明光を照射する照明装置と、
前記照明装置の前記光出射点の各々からの出射光を制御する条件である照明条件を決定する制御装置と、
を備え、
前記制御装置は、所定の情報に基づいて前記照明条件を自動的に決定する、
照明システム。
【発明の詳細な説明】
【技術分野】
【０００１】
本開示は、制御装置、制御方法及び照明システムに関する。
【背景技術】
【０００２】
照明を適切に制御することにより、ユーザの利便性を向上させる技術が開発されている。例えば、特許文献１には、飲食物を撮影した画像に基づいて、当該飲食物の種類や当該飲食物に用いられている食材を判別し、その種類や食材に応じた照明光を当該飲食物に照射する、照明システムが開示されている。当該照明システムによれば、飲食物の種類や、当該飲食物に用いられている食材に応じて、例えば食欲を増進させるような照明光、又は食欲を減退させるような照明光等、ユーザの健康状態を考慮した照明光を当該飲食物に照射することができるため、当該ユーザの食生活をより効果的に支援することが可能となる。
【先行技術文献】
【特許文献】
【０００３】
【特許文献１】特開２０１４−２１１７４８号公報
【発明の概要】
【発明が解決しようとする課題】
【０００４】
ここで、特許文献１に記載の照明システムにおいては、飲食物に対して光を照射する装置として、白熱灯、蛍光灯、及びユーザが装着するＨＭＤ（Head  Mounted  Display）に取り付けられたＬＥＤ（Light  Emitting  Diode）が用いられている。これらの装置では、光の特性（照射方向や、波長、強度等）を詳細に制御することは困難であり、ユーザにとって所望の照明効果を必ずしも好適に得ることができない可能性がある。【０００５】
そこで、本開示では、ユーザの利便性をより向上させることが可能な、新規かつ改良された制御装置、制御方法及び照明システムを提案する。
【課題を解決するための手段】
【０００６】
本開示によれば、面状に並べられた複数の光出射点を有し前記光出射点の各々からの出射光がそれぞれ制御されることにより照明光を照射する照明装置について、前記光出射点の各々からの出射光を制御する条件である照明条件を決定する照明条件決定部、を備え、前記照明条件決定部は、所定の情報に基づいて前記照明条件を自動的に決定する、制御装置が提供される。【０００７】
また、本開示によれば、面状に並べられた複数の光出射点を有し前記光出射点の各々からの出射光がそれぞれ制御されることにより照明光を照射する照明装置について、プロセッサが、前記光出射点の各々からの出射光を制御する条件である照明条件を決定すること、を含み、前記照明条件を決定する際には、所定の情報に基づいて前記照明条件が自動的に決定される、制御方法が提供される。【０００８】
また、本開示によれば、面状に並べられた複数の光出射点を有し前記光出射点の各々からの出射光がそれぞれ制御されることにより照明光を照射する照明装置と、前記照明装置の前記光出射点の各々からの出射光を制御する条件である照明条件を決定する制御装置と、を備え、前記制御装置は、所定の情報に基づいて前記照明条件を自動的に決定する、照明システムが提供される。【０００９】
本開示によれば、照明装置を駆動するための照明条件が、所定の情報に基づいて自動的に決定される。一方、当該照明装置は、面状に並べられた複数の光出射点を有し、前記光出射点の各々からの出射光が制御されることにより照明光を照射するものであり、詳細な照明光の制御が可能である。従って、その照明条件が、所定の情報に基づいて自動的に決定されることにより、ユーザが照明条件を決定する操作を行うことなく、状況に応じた適切な照明光が適宜決定され得る。よって、ユーザの利便性を向上させることが可能になる。
【発明の効果】
【００１０】
以上説明したように本開示によれば、ユーザの利便性をより向上させることが可能になる。なお、上記の効果は必ずしも限定的なものではなく、上記の効果とともに、又は上記の効果に代えて、本明細書に示されたいずれかの効果、又は本明細書から把握され得る他の効果が奏されてもよい。
【図面の簡単な説明】
【００１１】
【図１】照明装置の構成を概略的に示す分解斜視図である。
【図２】図１に示す照明装置における、液晶パネルの画素とレンチキュラーシートのレンズとの位置関係について説明するための図である。
【図３】照明による写真の品質の概念について説明する図である。
【図４】第１の実施形態に係る、手動モードで動作される照明システムの概略構成を示す図である。
【図５】仮想的な照明器具を配置する処理について説明するための図である。
【図６】照明装置の駆動処理、及びＲＧＢカメラによる撮影処理について説明するための図である。
【図７】第１の実施形態に係る、手動モードで動作される照明システムの機能構成の一例を示すブロック図である。
【図８】第１の実施形態に係る照明システムの手動モード時における制御方法の処理手順の一例を示すフロー図である。
【図９】第１の実施形態に係る、自動モードで動作される照明システムの機能構成の一例を示すブロック図である。
【図１０】過去の撮影データを用いる写真撮影時における照明システムの動作について説明するための図である。
【図１１】過去の撮影データを用いる写真撮影時における照明システムの動作について説明するための図である。
【図１２】過去の撮影データを用いる写真撮影時における照明システムの他の動作について説明するための図である。
【図１３】過去の撮影データを用いる写真撮影時における照明システムの他の動作について説明するための図である。
【図１４】過去の写真データを用いる写真撮影時における照明システムの動作について説明するための図である。
【図１５】過去の写真データを用いる写真撮影時における照明システムの他の動作について説明するための図である。
【図１６】第１の実施形態に係る、自動モードで動作される照明システムの、過去の撮影データが用いられる場合における制御方法の処理手順の一例を示すフロー図である。
【図１７】第１の実施形態に係る、自動モードで動作される照明システムの、過去の写真データが用いられる場合における制御方法の処理手順の一例を示すフロー図である。
【図１８】第１の実施形態に係る、デプスカメラを更に備える変形例に係る照明システムの概略構成を示す図である。
【図１９】第１の実施形態に係る、デプスカメラを更に備える変形例に係る照明システムの機能構成の一例を示すブロック図である。
【図２０】第２の実施形態に係る、手動モードで動作される照明システムの概略構成を示す図である。
【図２１】鏡の照明として動作する際における、手動モード時での照明システム２の動作について説明するための図である。
【図２２】ジェスチャによって仮想的な照明器具を配置する方法について説明するための図である。
【図２３】第２の実施形態に係る、手動モードで動作される照明システムの機能構成の一例を示すブロック図である。
【図２４】第２の実施形態に係る照明システムの手動モード時における制御方法の処理手順の一例を示すフロー図である。
【図２５】第２の実施形態に係る、自動モードで動作される照明システムの概略構成を示す図である。
【図２６】第２の実施形態に係る、自動モードで動作される照明システムの機能構成の一例を示すブロック図である。
【図２７】第２の実施形態に係る、デプスカメラを更に備える変形例に係る照明システムの概略構成を示す図である。
【図２８】第２の実施形態に係る、デプスカメラを更に備える変形例に係る照明システムの機能構成の一例を示すブロック図である。
【図２９】第３の実施形態における、照明装置の動作の概要について説明するための図である。
【図３０】第３の実施形態に係る、手動モードで動作される照明システムの概略構成を示す図である。
【図３１】部屋の照明として動作する際における、手動モード時での照明システムの動作について説明するための図である。
【図３２】仮想的な照明器具を配置するための他のＧＵＩについて説明するための図である。
【図３３】ジェスチャによって仮想的な照明器具を配置する方法について説明するための図である。
【図３４】第３の実施形態に係る、手動モードで動作される照明システムの機能構成の一例を示すブロック図である。
【図３５】第３の実施形態に係る、自動モードで動作される照明システムの概略構成を示す図である。
【図３６】第３の実施形態に係る、自動モードで動作される照明システムの機能構成の一例を示すブロック図である。
【図３７】部屋のレイアウトデータ、並びに部屋の中の物体のＲＧＢデータ及びデプスデータに基づいて照明条件を決定する際の照明システムの動作について説明するための図である。
【図３８】部屋のレイアウトデータ、並びに部屋の中の物体のＲＧＢデータ及びデプスデータに基づいて照明条件を決定する際の照明システムの動作について説明するための図である。
【図３９】部屋のレイアウトデータ、並びに部屋の中の物体のＲＧＢデータ及びデプスデータに基づいて照明条件を決定する際の照明システムの動作について説明するための図である。
【図４０】部屋のレイアウトデータ、並びに部屋の中の物体のＲＧＢデータ及びデプスデータに基づいて照明条件を決定する際の照明システムの動作について説明するための図である。
【図４１】第３の実施形態に係る照明システムの自動モード時における制御方法の処理手順の一例を示すフロー図である。
【図４２】ユーザが視聴しているコンテンツに基づいて照明条件が決定される場合における、照明システムの動作について説明するための図である。
【図４３】ユーザが視聴しているコンテンツに基づいて照明条件が決定される場合における、照明システムの動作について説明するための図である。
【図４４】ユーザが視聴しているコンテンツに基づいて照明条件が決定される場合において、制御装置によって実行される照明システムの制御方法の処理手順の一例を示すフロー図である。
【図４５】第４の実施形態に係る照明システムの概略構成を示す図である。
【図４６】情報通知時の照明システムの動作の概要について説明するための図である。
【図４７】第４の実施形態に係る照明システムの機能構成の一例を示すブロック図である。
【図４８】第４の実施形態に係る照明システムの制御方法の処理手順の一例を示すフロー図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．照明装置の構成
２．第１の実施形態
２−１．第１の実施形態の概要
２−２．手動モード
２−２−１．照明システムの構成
２−２−２．写真撮影時の照明システムの動作の概要
２−２−３．照明システムの機能構成
２−２−４．照明システムの制御方法の処理手順
２−３．自動モード
２−３−１．照明システムの機能構成
２−３−２．照明システムの制御方法の処理手順
２−３−２−１．過去の撮影データが用いられる場合
２−３−２−２．過去の写真データが用いられる場合
２−３−３．変形例
２−４．第１の実施形態のまとめ
３．第２の実施形態
３−１．第２の実施形態の概要
３−２．手動モード
３−２−１．照明システムの構成
３−２−２．鏡の照明における照明システムの動作の概要
３−２−３．照明システムの機能構成
３−２−４．照明システムの制御方法の処理手順
３−３．自動モード
３−３−１．照明システムの構成
３−３−２．照明システムの機能構成
３−３−３．変形例
３−４．第２の実施形態のまとめ
４．第３の実施形態
４−１．第３の実施形態の概要
４−２．手動モード
４−２−１．照明システムの構成
４−２−２．部屋の照明における照明システムの動作の概要
４−２−３．照明システムの機能構成
４−３．自動モード
４−３−１．照明システムの構成
４−３−２．照明システムの機能構成
４−３−３．照明システムの制御方法の処理手順
４−３−４．照明システムの他の動作の例
４−４．第３の実施形態のまとめ
５．第４の実施形態
５−１．第４の実施形態の概要
５−２．照明システムの構成
５−３．情報通知時の照明システムの動作の概要
５−４．照明システムの機能構成
５−５．照明システムの制御方法の処理手順
５−６．第４の実施形態のまとめ
６．補足
【００１４】
（１．照明装置の構成）
本開示では、照明装置を備える照明システムが提供される。そして、第１〜第４の実施形態として後述するように、当該照明システムによって、様々な状況に応じた照明効果がユーザに対して提供される。ここでは、当該照明システムの構成、機能及び用途について説明するに先立ち、当該照明システムを構成する照明装置の構成について説明する。
【００１５】
図１は、照明装置の構成を概略的に示す分解斜視図である。図１に示すように、照明装置１１０は、バックライト１１１と、液晶パネル１１２と、レンチキュラーシート１１３と、が、この順に重ねられた構成を主に有する。
【００１６】
バックライト１１１及び液晶パネル１１２は、一般的な液晶ディスプレイに用いられるものである。図示は省略するが、バックライト１１１と液晶パネル１１２との間には、偏光板等の光学フィルムが設けられており、バックライト１１１、当該光学フィルム、及び液晶パネル１１２によって、液晶ディスプレイが構成される。つまり、照明装置１１０は、液晶ディスプレイの表面にレンチキュラーシート１１３が設けられたものに対応する。
【００１７】
レンチキュラーシート１１３は、半円筒形の光学レンズが均等に並べられて構成される。レンチキュラーシート１１３は、レンチキュラーレンズ又はレンチキュラーレンズシート等とも呼称される。図２に示すように、液晶パネル１１２の複数の画素１１２ａに対して１つのレンズ１１３ａが対応するように、レンチキュラーシート１１３における各レンズの大きさ及び配置が調整されている。図２は、図１に示す照明装置１１０における、液晶パネル１１２の画素１１２ａとレンチキュラーシート１１３のレンズ１１３ａとの位置関係について説明するための図である。図２では、積層された液晶パネル１１２及びレンチキュラーシート１１３の一部断面を示している。
【００１８】
かかる構成を有することにより、液晶パネル１１２のある画素１１２ａからの光は、レンチキュラーシート１１３の当該画素１１２ａに対応するレンズ１１３ａを通過して、所定の方向に出射されることとなる。つまり、照明装置１１０では、バックライト１１１及び液晶パネル１１２からなる液晶ディスプレイにおける各画素から出射される光の特性（強度及び波長等）を適宜制御することで、所望の方向に所望の特性の光を照射することが可能となる。
【００１９】
このように、照明装置１１０は、いわば複数の光出射点が面上に並べられた構成を有しており、そのパネル状のデバイスの各光出射点からの出射光の強さ、色及び方向をそれぞれ個別に制御可能である。従って、照明装置１１０によれば、原理的にはあらゆる光源を再現することができる。このように、照明装置１１０は、ユーザが所望する仮想的な光源（例えば、蛍光灯、白熱灯、スポットライト等）を自由に再現することが可能な、より自由度の高い照明装置である。
【００２０】
ここで、ユーザが裸眼で３Ｄ表示を見ることが可能な、いわゆる裸眼３Ｄディスプレイにおいては、レンチキュラーレンズを用いた立体視技術（インテグラルイメージング等と呼ばれる）が広く用いられている。具体的には、インテグラルイメージング自体は、１９０８年には既にＧａｂｒｉｅｌ  Ｌｉｐｐｍａｎｎにより提唱されており、その後、２０世紀末になって、インテグラルイメージングと液晶ディスプレイを組み合わせることで３Ｄ映像を再生する仕組みが考案され、現在まで盛んに研究が行われている。
【００２１】
上述した照明装置１１０の装置構成は、この裸眼３Ｄディスプレイの装置構成と略同様であり得る。つまり、照明装置１１０は、裸眼３Ｄディスプレイの技術を照明装置に適用したものである。なお、このような裸眼３Ｄディスプレイの技術を適用した照明装置は、既に知られており、当該照明装置の詳細については、例えば、「「AnyLight：Programmable  Ambient  Illumination  via  Computational  Light  Fields」，  Yuichiro  Takeuchi，  et  al．，  Proceedings  of  the  2016  ACM  on  Interactive  Surfaces  and  Spaces，  November，  2016，  Pages  39-48」を参照することができる。所望の照明効果を実現させるための照明装置１１０の具体的な駆動方法については、当該文献に記載の技術や、他の公知の技術を用いることができるため、ここではその詳細な説明を省略する。
【００２２】
以上、照明装置１１０の構成について説明した。なお、上述したように、照明装置１１０は、いわば複数の光出射点が面上に並べられた構成を有しており、その各光出射点からの出射光がそれぞれ個別に制御されることより、所望の照明光を照射するものである。従って、照明装置１１０の構成は以上説明したものに限定されず、照明装置１１０としては、上述した構成を有するものであれば、各種の公知の構成を用いることができる。
【００２３】
例えば、照明装置１１０としては、一般的に裸眼３Ｄディスプレイとして知られている各種の公知の構成を用いることができる。例えば、上述した構成において、レンチキュラーシート１１３の代わりに、微細な穴が複数形成されたフィルタが用いられてもよい。かかる構成によれば、いわゆるパララックスバリア方式の裸眼３Ｄディスプレイと同様の構成が実現され得るため、上述したものと同様の多様な光源を再現できる照明装置１１０が実現可能である。ただし、当該方式で照明装置１１０を構成した場合には、上記フィルタによって部分的に画面が遮られることとなり、レンチキュラーシート１１３を用いる場合に比べて、画面全体の明るさが低下することとなるため、バックライト１１１としてより出力の大きいものを用いることが好ましい。
【００２４】
また、例えば、上述した構成において、バックライト１１１の代わりに、プロジェクターが用いられてもよい。一般的に、液晶ディスプレイは薄型を志向して作製されるため、そのバックライトに大きな出力を持たせることが困難である。従って、裸眼３Ｄディスプレイにおいて、より明るい画面を実現するために、液晶ディスプレイの代わりにプロジェクターを用いた裸眼３Ｄディスプレイが開発されている。このプロジェクターを用いた裸眼３Ｄディスプレイの構成を照明装置１１０に適用することにより、照明として十分な明るさを確保することが可能な、より高出力な照明装置が実現され得る。
【００２５】
以下では、以上説明した照明装置１１０によって構成される照明システムの構成と、当該照明システムを用いた様々な状況に応じた照明効果について説明する。
【００２６】
（２．第１の実施形態）
（２−１．第１の実施形態の概要）
本開示の第１の実施形態について説明する。第１の実施形態では、照明システムを写真撮影に用いる。
【００２７】
近年、スマートフォンの流行に伴い、日常における写真撮影の機会が増加している。ソーシャルメディアを見れば、ユーザが自身の顔や身の回りの小物等を撮影してアップロードしている例が多く見受けられる。そこで、高品質な写真撮影を行うために、動画サイトにアップロードされた上手な撮影の仕方を教える動画や、撮影を支援するスマートフォンアプリ、及び自撮り棒等の専用の機器等が人気を集めている。
【００２８】
一方、照明は、写真の品質を決定付ける重要な要因の一つである。図３は、照明による写真の品質の概念について説明する図である。専門的なスタジオで写真を撮影する場合、各種の特殊な照明器具を利用して、人物の顔や物に対する光の当たり方をより自由に調整することができ、品質の高い写真５０２を撮影することができる（図３左図）。しかしながら、住宅等の一般的な生活環境では、写真撮影時の照明を詳細に調整することは困難である場合が多い。フラッシュや、スマートフォン用に販売されている小型の照明器具等を使用することはできるが、これらのデバイスでは細かな光の制御は行うことはできない。また、撮影された画像に対して画像処理を施すことにより照明の不備を補うことも可能であるが、画像処理後の写真が不自然なものとなる場合も多く、大幅な調整は難しい。このように、一般的な生活環境においては、詳細な照明の制御が困難であるため、品質の低い写真５０４が撮影されてしまう事態が生じていた（図３右図）。
【００２９】
上記事情に鑑みて、本発明者らは、一般的な生活環境においてもより高品質な写真の撮影を可能にする技術について鋭意検討した。その結果、上述した照明装置１１０を写真撮影に用いることに想到した。上述したように、照明装置１１０によれば、詳細な照明光の制御が可能となるため、専用のスタジオで専用の照明器具を用いた場合と同様の高品質な写真を、一般的な生活環境において撮影することが可能となる。このように、照明装置１１０を写真撮影に適用することにより、ポータブルな写真スタジオが実現される。
【００３０】
以下、第１の実施形態に係る照明システムの構成及び機能について詳細に説明する。ここで、第１の実施形態に係る照明システムでは、その照明装置１１０の照明条件をユーザの指示入力に基づいていわば手動で設定するモード（以下、手動モードともいう）と、当該照明条件を所定の情報に基づいて自動で設定するモード（以下、自動モードともいう）と、が存在し得る。ここで、照明条件は、照明装置１１０の各光出射点からの出射光を制御する条件のことである。照明条件が定まれば、照明装置１１０全体としての照明光かも定まる。照明条件には、各光出射点からの出射光の方向、強度及び波長（すなわち、色）についての情報が含まれる。上記手動モード及び自動モードのいずれのモードかに応じて、照明システムの機能構成も異なる。以下、これらのモードのそれぞれにおける照明システムの構成及び機能について順に説明する。
【００３１】
なお、以下では、一例として、被写体がユーザ自身である場合を例に挙げて第１の実施形態に係る照明システムの構成及び機能について説明する。ただし、第１の実施形態はかかる例に限定されず、被写体は、ユーザ以外の人物、物等、任意であってよい。
【００３２】
（２−２．手動モード）
まず、手動モードにおける照明システムの構成及び機能について説明する。
【００３３】
（２−２−１．照明システムの構成）
図４は、第１の実施形態に係る、手動モードで動作される照明システムの概略構成を示す図である。図４を参照すると、第１の実施形態に係る、手動モードで動作される照明システム１は、照明装置１１０と、端末１２０と、ＲＧＢカメラ１３０と、を備える。なお、照明装置１１０は、図１を参照して説明した照明装置１１０と同様のものであるため、ここではその詳細な説明を省略する。
【００３４】
端末１２０は、照明システム１の動作を統合的に管理する情報処理装置である。図４では簡略化して図示しているが、端末１２０は、少なくとも、入力装置、表示装置及び制御装置を有する。
【００３５】
端末１２０の入力装置（後述する図７に示す入力装置１２１に対応する）は、ユーザが各種の情報や指示を端末１２０に対して入力するための入力インターフェースである。当該入力装置の具体的な装置構成は限定されず、当該入力装置は、キーボード、マウス、スイッチ、タッチパネル等、各種の公知の入力装置であり得る。また、当該入力装置は、ユーザの動作を検出可能なカメラやセンサであってもよく、ユーザの視線やジェスチャ等に応じて各種の情報や指示の入力が行われてもよい。また、当該入力装置は、マイクロフォンであってもよく、ユーザの音声に応じて各種の情報や指示の入力が行われてもよい。
【００３６】
端末１２０の表示装置（後述する図７に示す表示装置１２２に対応する）は、ユーザに対して各種の情報を視覚的に提示するための出力インターフェースである。当該表示装置は、各種の情報を、画像、文字、グラフ等の多様な形式で表示することが可能である。当該表示装置の具体的な装置構成は限定されず、当該表示装置は、液晶ディスプレイ、有機ＥＬ（electroluminescence）ディスプレイ、プラズマディスプレイ等、各種の公知の表示装置であり得る。
【００３７】
端末１２０の制御装置（後述する図７に示す制御装置１２３に対応する）は、照明システム１の動作を統合的に制御する。当該制御装置は、例えばＣＰＵ（Central  Processing  Unit）やＤＳＰ（Digital  Signal  Processor）等のプロセッサ、及び当該プロセッサによって実行されるプログラムや当該プロセッサによって処理される情報を格納するメモリ等によって構成される。当該制御装置からの制御により、上記入力装置、上記表示装置、照明装置１１０及びＲＧＢカメラ１３０の駆動が制御され得る。
【００３８】
なお、端末１２０の入力装置、表示装置及び制御装置の機能については、図７を参照して後で詳述する。
【００３９】
端末１２０は、入力装置、表示装置及び制御装置を有すればよく、その具体的な装置構成は限定されない。例えば、端末１２０は、デスクトップ型ＰＣ（Personal  Computer）、ノート型ＰＣ、タブレット型ＰＣ、スマートフォン等であり得る。
【００４０】
ＲＧＢカメラ１３０は、カラー撮影可能な（すなわち、被写体の色情報を含む画像データ（以下、色画像データもいう）を取得可能な）カメラである。ＲＧＢカメラ１３０は、ＲＧＢ形式で色情報が付加された色画像データを取得することができる。照明システム１では、ＲＧＢカメラによって被写体の写真を撮影することができる。なお、ＲＧＢカメラ１３０としては、各種の公知のカメラが用いられてよい。
【００４１】
ＲＧＢカメラ１３０は、照明装置１１０による照明光の照射範囲を撮影可能な位置に設置される。図示する例では、ＲＧＢカメラ１３０は、照明装置１１０の照明光の照射面の左右方向の略中央に、その撮影方向が当該照明光の照射方向と略一致するように設置されている。かかる位置にＲＧＢカメラ１３０が設置されることにより、正面から照明光が照射されている被写体を、同じく正面から撮影することが可能となるため、より高品質な写真を撮影することが可能になる。ただし、ＲＧＢカメラ１３０の設置位置は図示する例に限定されず、上記のように照明装置１１０による照明光の照射範囲を撮影可能な位置であれば、任意であってよい。
【００４２】
（２−２−２．写真撮影時の照明システムの動作の概要）
手動モードにおける、写真撮影時の照明システム１の動作の概要について説明する。照明システム１を用いた手動モードにおける写真撮影では、まず、ユーザが、端末１２０を用いて、写真撮影時の仮想的な照明器具を配置する。図５は、仮想的な照明器具を配置する処理について説明するための図である。図５では、ユーザ５０１が、端末１２０を用いて仮想的な照明器具を配置する処理を実行している様子を図示している。
【００４３】
図５に示すように、第１の実施形態では、仮想的な照明器具を配置するためのＧＵＩ（Graphical  User  Interface）が提供され得る。具体的には、当該ＧＵＩとしては、端末１２０の表示装置の画面上に、被写体を表すアイコン５０３及び仮想的な照明器具を表すアイコン５０５が表示される。ユーザ５０１は、端末１２０の入力装置を介した操作により、被写体を表すアイコン５０３に対する、仮想的な照明器具を表すアイコン５０５の種類、数、位置及び方向を調整することができる。当該アイコン５０５の種類、数、位置及び方向は、照明装置１１０によって再現したい光源の種類（強度や色を含む）、数、位置及び照明光の照射方向に対応している。アイコン５０５の種類としては、例えば、蛍光灯、白熱灯、スポットライト等、多様な光源に対応するものが予め用意されていてよい。このようにして、ユーザ５０１は、被写体に対して仮想的な照明器具を配置することができる。なお、仮想的な照明器具を配置する方法はＧＵＩを用いる方法に限定されず、例えばジェスチャや音声等、他の方法によって仮想的な照明器具が配置されてもよい。
【００４４】
仮想的な照明器具の配置が決定すると、次に、その決定された仮想的な照明器具による照明光を再現するように、端末１２０の制御装置が照明装置１１０を駆動させる。そして、端末１２０の制御装置が、照明装置１１０を駆動させた状態で、ＲＧＢカメラ１３０を駆動させ静止画の撮影を実行させる。図６は、これら、照明装置１１０の駆動処理、及びＲＧＢカメラ１３０による撮影処理について説明するための図である。図６に示すように、これらの処理が実行されることにより、ユーザ５０１は、仮想的な照明器具を再現した照明装置１１０による照明光を受けながら、すなわち、所望の照明光を受けながら、自身の良好な写真５０２を撮影することができる。
【００４５】
なお、端末１２０の表示装置には、ＲＧＢカメラ１３０によって撮影された画像に基づくスルー画が表示されてもよい。この場合、ユーザ５０１は、当該スルー画を確認しながら、仮想的な照明器具の配置を調整してもよい。調整された仮想的な照明器具の配置に基づく照明装置１１０の駆動、及びＲＧＢカメラ１３０による撮影が随時実行されることにより、ユーザ５０１は、スルー画を確認しながら、リアルタイムで仮想的な照明器具の配置を調整することができる。そして、ユーザ５０１が、所望のタイミングで、静止画撮影実行の所定の操作を行うことにより、当該タイミングでの静止画が、写真として記録され得る。ただし、照明システム１では、スルー画は必ずしも表示されなくてもよく、ユーザ５０１は、仮想的な照明器具の配置、及び静止画の撮影を繰り返すことにより、当該静止画を確認しながら、仮想的な照明器具の配置を調整してもよい。
【００４６】
（２−２−３．照明システムの機能構成）
以上説明した写真撮影時の動作を実現する、照明システム１の機能構成について説明する。図７は、第１の実施形態に係る、手動モードで動作される照明システム１の機能構成の一例を示すブロック図である。なお、図７では、一例として、端末１２０の表示装置にスルー画が表示される場合に対応する機能構成を示している。ただし、上述したように、スルー画が表示される機能は照明システム１に搭載されなくてもよい。
【００４７】
上述したように、第１の実施形態に係る、手動モードで動作される照明システム１は、照明装置１１０と、端末１２０と、ＲＧＢカメラ１３０と、を備える。また、照明装置１１０は、バックライト１１１と、液晶パネル１１２と、レンチキュラーシート１１３と、を主に有する。図７では、これらの構成を概念的にブロックとして図示している。照明装置１１０は、後述する端末１２０の制御装置１２３からの制御により、当該制御装置１２３によって決定された照明条件に従って、照明光を照射する。ＲＧＢカメラ１３０は、制御装置１２３からの制御により撮影を実行する。また、ＲＧＢカメラ１３０は、取得した画像データを当該制御装置１２３に送信する。なお、以下では、ＲＧＢカメラ１３０によって取得される画像データのことを、後述するデプスカメラによって取得されるデータと区別するために、ＲＧＢデータとも呼称する。つまり、ＲＧＢデータは、色情報を含む画像データ（色画像データ）である。
【００４８】
図７を参照すると、端末１２０は、入力装置１２１と、表示装置１２２と、制御装置１２３と、を有する。入力装置１２１からは、例えば上述した仮想的な照明器具を配置する際の指示や、静止画撮影を実行する旨の指示等が、端末１２０に対して入力される。図７に示すように、入力装置１２１から入力された情報や指示は、制御装置１２３に提供される。また、表示装置１２２は、制御装置１２３からの制御により、例えば上述した仮想的な照明器具を配置する際のＧＵＩに係る表示画面や、スルー画等を表示する。
【００４９】
制御装置１２３は、その機能として、表示制御部１２４と、撮影制御部１２５と、照明条件決定部１２６と、照明駆動制御部１２７と、を有する。制御装置１２３のプロセッサが所定のプログラムに従って演算処理を実行することにより、これらの機能が実現され得る。
【００５０】
表示制御部１２４は、表示装置１２２の動作を制御し、当該表示装置１２２に各種の情報を表示させる。具体的には、表示制御部１２４は、仮想的な照明器具を配置する際のＧＵＩに係る表示画面を、表示装置１２２に表示させる。この際、表示制御部１２４は、入力装置１２１を介したユーザの指示入力に応じて、当該表示画面上のＧＵＩ部品（アイコン等）の移動等の表示を併せて制御する。また、表示制御部１２４は、ＲＧＢカメラ１３０から送信される、当該ＲＧＢカメラ１３０によって取得されたＲＧＢデータに基づいて、スルー画を表示装置１２２に表示させる。
【００５１】
撮影制御部１２５は、ＲＧＢカメラ１３０の動作を制御し、当該ＲＧＢカメラ１３０に撮影を実行させる。具体的には、撮影制御部１２５は、照明装置１１０が駆動している間、表示装置１２２にスルー画を表示させるために、ＲＧＢカメラ１３０を常時駆動させる。また、撮影制御部１２５は、入力装置１２１を介してユーザによって静止画撮影を実行する旨の指示が入力された場合に、ＲＧＢカメラ１３０を駆動させ静止画を撮影させる。
【００５２】
照明条件決定部１２６は、照明装置１１０を駆動させるための照明条件を決定する。手動モードでは、ユーザによって、入力装置１２１を介して、仮想的な照明器具の配置についての情報が制御装置１２３に入力されている。照明条件決定部１２６は、当該仮想的な照明器具の配置についての情報に基づいて、その仮想的な照明器具の配置による照明光を再現するように、照明条件を決定する。照明条件決定部１２６は、決定した照明条件についての情報を、照明駆動制御部１２７に提供する。
【００５３】
照明駆動制御部１２７は、照明条件決定部１２６によって決定された照明条件についての情報に基づいて、当該照明条件に従って照明装置１１０を駆動させる。具体的には、照明駆動制御部１２７は、照明条件決定部１２６によって決定された照明条件に従って、照明装置１１０の各光出射点からの出射光を制御することにより、当該照明装置１１０から照射される照明光を制御する。これにより、ユーザが入力した仮想的な照明器具の配置の配置による照明光を再現するように、照明装置１１０が駆動され得る。
【００５４】
（２−２−４．照明システムの制御方法の処理手順）
以上説明した、制御装置１２３によって実行される照明システム１の制御方法の処理手順について説明する。図８は、第１の実施形態に係る照明システム１の手動モード時における制御方法の処理手順の一例を示すフロー図である。なお、図８に示す各処理は、図７に示す制御装置１２３によって実行される各処理に対応している。制御装置１２３を構成するプロセッサが所定のプログラムに従って動作することにより、図８に示す各処理が実行される。図８に示す各処理の詳細については、制御装置１２３の機能について説明する際に既に上述しているため、以下の図８に示す各処理についての説明では、これら各処理の概要を述べるに留め、その詳細な説明は省略する。
【００５５】
図８を参照すると、第１の実施形態に係る照明システム１の手動モード時における制御方法では、まず、入力装置１２１を介したユーザからの指示入力（仮想的な照明器具を配置する旨の指示入力）に応じて、照明条件が決定される（ステップＳ１０１）。ステップＳ１０１における処理は、図７に示す照明条件決定部１２６が実行する処理に対応している。
【００５６】
次に、決定された照明条件に従って照明装置１１０が駆動される（ステップＳ１０３）。ステップＳ１０３における処理は、図７に示す照明駆動制御部１２７が実行する処理に対応している。
【００５７】
次に、ＲＧＢカメラ１３０による撮影が実行されるとともに、当該ＲＧＢカメラ１３０によって撮影された画像のスルー画が表示装置１２２に表示される（ステップＳ１０５）。ステップＳ１０５における処理は、図７に示す撮影制御部１２５及び表示制御部１２４が実行する処理に対応している。
【００５８】
次に、照明条件に対する更なる指示入力があるかどうかが判定される（ステップＳ１０７）。ステップＳ１０７における処理は、図７に示す照明条件決定部１２６が実行する処理に対応している。
【００５９】
ステップＳ１０７において照明条件に対する更なる指示入力がある場合には、ステップＳ１０１に戻り、照明条件決定部１２６によって、その更なる指示入力に応じて照明条件が決定される。そして、ステップＳ１０３以降の処理が再度実行される。
【００６０】
ステップＳ１０７において照明条件に対する更なる指示入力がない場合には、ステップＳ１０９に進む。ステップＳ１０９では、入力装置１２１を介したユーザからの指示入力（静止画を撮影する旨の指示入力）に応じて、ＲＧＢカメラ１３０による静止画の撮影が実行される。ステップＳ１０９における処理は、図７に示す撮影制御部１２５が実行する処理に対応している。
【００６１】
（２−３．自動モード）
次に、自動モードにおける照明システムの構成及び機能について説明する。なお、自動モードで動作される照明システムの装置構成は、図４を参照して説明した手動モードで動作される照明システム１の装置構成と同様である。従って、ここではその詳細な説明を省略する。
【００６２】
（２−３−１．照明システムの機能構成）
図９は、第１の実施形態に係る、自動モードで動作される照明システムの機能構成の一例を示すブロック図である。なお、図９では、一例として、後述する端末１２０ａの表示装置１２２にスルー画が表示される場合に対応する機能構成を示している。ただし、自動モードの場合においても、手動モードの場合と同様に、スルー画が表示される機能は当該照明システムに搭載されなくてもよい。
【００６３】
図９を参照すると、第１の実施形態に係る、自動モードで動作される照明システム１ａは、照明装置１１０と、端末１２０ａと、ＲＧＢカメラ１３０と、を備える。また、端末１２０ａは、入力装置１２１と、表示装置１２２と、制御装置１２３ａと、を有する。ここで、照明装置１１０及びＲＧＢカメラ１３０、並びに端末１２０ａの入力装置１２１及び表示装置１２２の構成及び機能は、図７に示す手動モードで動作される照明システム１におけるこれらの装置と同様であるため、ここではその詳細な説明を省略する。このように、照明システム１ａは、照明システム１において、端末１２０の制御装置１２３が制御装置１２３ａに変更されたものに対応する。なお、制御装置１２３ａの装置構成は、制御装置１２３の装置構成と同様であり、制御装置１２３ａは、その機能が、制御装置１２３から変更されたものに対応する。
【００６４】
図９を参照すると、制御装置１２３ａは、その機能として、表示制御部１２４と、撮影制御部１２５と、照明条件決定部１２６ａと、照明駆動制御部１２７と、を有する。制御装置１２３ａのプロセッサが所定のプログラムに従って演算処理を実行することにより、これらの機能が実現され得る。ここで、表示制御部１２４、撮影制御部１２５、及び照明駆動制御部１２７の機能は、図７を参照して説明した、手動モードで動作される照明システム１におけるこれらの機能と同様であるため、ここではその詳細な説明を省略する。
【００６５】
自動モードにおいては、制御装置１２３ａに、過去の撮影データ又は過去の写真データが入力される。ここで、過去の撮影データとは、照明システム１ａを使用して過去に行われた写真撮影におけるデータのことであり、当該過去の撮影データには、当該写真撮影における照明条件についての情報、及び被写体のＲＧＢデータが含まれる。また、過去の写真データとは、照明システム１ａを使用せずに過去に撮影された任意の写真データのことであり、例えばデジタルカメラやスマートフォンによって撮影された写真データである。当該写真データは、少なくともその被写体のＲＧＢデータが抽出可能なものであり得る。制御装置１２３ａに入力される過去の撮影データ又は過去の写真データは、過去に良好な写真が撮影された際のデータであり得る。
【００６６】
照明条件決定部１２６ａは、入力された過去の撮影データ又は過去の写真データに基づいて、これら過去の撮影データ又は過去の写真データにおける照明条件を再現するように、これから撮影を行う際の照明条件を自動的に決定する。
【００６７】
具体的には、過去の撮影データが入力された場合には、照明条件決定部１２６ａは、当該過去の撮影データに含まれる照明条件を、これから撮影を行う際の照明条件として決定する。図１０及び図１１を参照して、この過去の撮影データを用いる写真撮影時における照明システム１ａの動作について説明する。図１０及び図１１は、過去の撮影データを用いる写真撮影時における照明システム１ａの動作について説明するための図である。照明システム１ａにおいて、過去の撮影データを用いる場合には、例えば、図１０に示すように、過去に照明システム１ａを用いて良好な写真が撮影できた際の撮影データ５０７（図１０及び図１１では、撮影データ５０７として、便宜的に、その照明条件に係る仮想的な照明器具の配置を図示している）を保存するデータベース５０９（ＤＢ５０９）が作成され得る。新たに写真撮影を行う場合には、図１１に示すように、当該ＤＢ５０９から過去の撮影データ５０７が取得され、当該過去の撮影データ５０７に含まれる照明条件が再現される。そして、この再現された照明条件に従って照明装置１１０が駆動され、撮影が行われる。これにより、過去の撮影データが得られたときと同様の、良好な写真を得ることができる。
【００６８】
ただし、過去の撮影データ５０７に含まれる照明条件をそのまま用いて撮影を行った場合であっても、周囲の環境や、照明装置１１０と被写体との距離等によっては、過去の撮影データ５０７を取得した際と同様の良好な写真が得られるとは限らない。従って、照明条件決定部１２６ａは、更に、ＲＧＢカメラ１３０によって取得される被写体の現在のＲＧＢデータと、過去の撮影データに含まれる被写体の過去のＲＧＢデータとを比較して、当該過去のＲＧＢデータが再現され得るように、照明条件の調整を自動的に行う。具体的には、照明条件決定部１２６ａは、被写体の現在のＲＧＢデータと被写体の過去のＲＧＢデータの両方について、ＲＧＢデータのピクセルごと、あるいは複数のピクセルからなる所定の領域ごとに、明度や彩度、色相等の、照明条件を規定し得る物理量を定量的に算出する。そして、照明条件決定部１２６ａは、現在のＲＧＢデータと過去のＲＧＢデータについて、算出した明度等の値を比較する。そして、照明条件決定部１２６ａは、現在のＲＧＢデータにおける各ピクセル又は各領域の明度等の値が、過去のＲＧＢデータにおける各ピクセル又は各領域の明度等の値に近付くように（例えば、明度が足りないピクセル又は領域に対して、明度を補うように照明光が更に照射されるように）、照明条件を変更する。
【００６９】
更に、照明システム１ａでは、照明条件決定部１２６ａによって自動的に照明条件が決定された後で、必要に応じて、入力装置１２１を介したユーザ５０１による指示入力により、手動で照明条件が調整されてもよい。この手動での照明条件の調整は、上述した手動モードで動作される照明システム１と同様に実行される。照明条件決定部１２６ａによって自動的に照明条件が決定された場合であっても、その照明条件に従った照明光によって、ユーザ５０１の所望の画像が得られるとは限らないため、このように、手動での調整が可能であることにより、ユーザ５０１は、より自身の要望に即した照明光を得ることが可能となる。この際、所望の照明光が得られる照明条件に近い照明条件が自動的に決定され、その後、ユーザ５０１による手動での調整が実行され得るため、手動モードのようにユーザ５０１が一から照明条件を指定する場合に比べて、当該ユーザ５０１の負担を軽減させることができる。
【００７０】
なお、過去の撮影データは、必ずしもユーザ５０１自身（すなわち、これから撮影を行う被写体）についての撮影データでなくてもよく、過去に撮影された他のユーザについての撮影データであってもよい。図１２及び図１３は、過去の撮影データを用いる写真撮影時における照明システム１ａの他の動作について説明するための図である。他のユーザの撮影データが用いられる場合には、例えば、図１２に示すように、ＳＮＳ（Social  Networking  Service）等のソーシャルメディアによって、他のユーザについての良好な写真５１３が撮影された際における過去の撮影データ５０７（図１２及び図１３では、撮影データ５０７として、便宜的に、その照明条件に係る仮想的な照明器具の配置を図示している）が共有される。この場合、新たに写真撮影を行う場合には、図１３に示すように、ユーザ５０１は、ソーシャルメディアにアップロードされている過去の撮影データの中から、自身の要望に合う照明が実現されている撮影データ５０７を取得し、制御装置１２３ａの照明条件決定部１２６ａに入力する。照明条件決定部１２６ａでは、当該過去の撮影データ５０７に含まれる照明条件が再現される。
【００７１】
そして、この再現された照明条件に従って照明装置１１０が駆動され、撮影が行われる。なお、この場合にも、上述したように、現在のＲＧＢデータと過去のＲＧＢデータとの比較による照明条件の調整や、ユーザによる手動での照明条件の調整が更に行われ得る。ソーシャルメディアを利用することにより、照明システム１ａを使用している複数のユーザ５０１によって撮影データを共有することができるため、例えば、あるユーザ５０１が、他のユーザ５０１による撮影データを用いて撮影を行うことが可能となる。従って、当該ユーザ５０１は、自分では思い付かないような照明条件で撮影を行うことも可能となり、当該ユーザ５０１の利便性が更に向上する。なお、他のユーザの撮影データを取得するための方法は、ソーシャルメディアを介した方法に限定されない。例えば、ユーザ間の個人的なやり取りによって撮影データが交換されてもよいし、照明システム１ａの制御装置１２３ａに、予め、一又は複数の種類の撮影データのサンプルが登録されていてもよい。
【００７２】
一方、過去の写真データが入力された場合における、照明システム１ａの動作について、図１４を参照して説明する。図１４は、過去の写真データを用いる写真撮影時における照明システム１ａの動作について説明するための図である。過去の写真データを用いる場合には、例えば、図１４に示すように、ユーザ５０１が、過去に自身を撮影した良好な写真５０２のデータを端末１２０ａの制御装置１２３ａに入力する。
【００７３】
過去の写真データを用いる場合には、当該過去の写真データが取得された際の照明条件は不明であるから、照明条件決定部１２６ａは、過去の撮影データが入力された場合のようにその照明条件を即座に決定することはできない。従って、過去の写真データが入力された場合には、照明条件決定部１２６ａは、ＲＧＢカメラ１３０によって取得される被写体の現在のＲＧＢデータと、過去の写真データから抽出される被写体の過去のＲＧＢデータとを比較して、当該過去のＲＧＢデータが再現され得るように、照明条件５１１（図１４では、照明条件５１１として、便宜的に、その照明条件５１１に係る仮想的な照明器具の配置を図示している）を決定する。具体的には、照明条件決定部１２６ａは、上述した過去の撮影データが入力された場合と同様に、ＲＧＢデータのピクセルごと、あるいは複数のピクセルからなる所定の領域ごとに、明度等の照明条件５１１を規定し得る物理量を定量的に算出し、算出したその明度等の値を比較することにより、現在のＲＧＢデータにおける各ピクセル又は各領域の明度等の値が、過去のＲＧＢデータにおける各ピクセル又は各領域の明度等の値に近付くように、照明条件５１１を決定する。なお、このとき、現在のＲＧＢデータは、予め設定されている所定の照明条件に従って照明装置１１０が駆動されている状態で、取得され得る。
【００７４】
そして、この決定された照明条件に従って照明装置１１０が駆動され、撮影が行われる。これにより、過去の写真データが得られたときと同様の、良好な写真５０２を得ることができる。なお、この際、過去の撮影データを用いる場合と同様に、ユーザによる手動での照明条件の調整が更に行われてもよい。
【００７５】
なお、過去の写真データは、必ずしもユーザ５０１自身（すなわち、これから撮影を行う被写体）を撮影したものでなくてもよい。図１５は、過去の写真データを用いる写真撮影時における照明システム１ａの他の動作について説明するための図である。図１５に示すように、過去に撮影された他のユーザについての良好な写真５１３のデータが、入力データとして用いられてよい。この他のユーザについての過去の写真は、例えば雑誌等に掲載された写真であってもよいし、インターネット上から取得される任意の写真であってもよい。あるいは、照明システム１ａの制御装置１２３ａに、予め、一又は複数の種類の写真データのサンプルが登録されていてもよい。ユーザ５０１は、任意の写真データを、照明条件を決定するための入力データとして、制御装置１２３ａに入力することができる。
【００７６】
この場合においても、自身の写真データを用いる場合と同様に、照明条件決定部１２６ａは、当該過去の写真データを解析し、被写体（ユーザ５０１）の現在のＲＧＢデータと比較することにより、当該過去の写真データにおける被写体（他のユーザ）のＲＧＢデータを再現するように照明条件５１１（図１５では、照明条件５１１として、便宜的に、その照明条件５１１に係る仮想的な照明器具の配置を図示している）を決定する。
【００７７】
そして、この決定された照明条件５１１に従って照明装置１１０が駆動され、撮影が行われる。これにより、過去の写真データが得られたときと同様の、良好な写真５０２を得ることができる。なお、この際、自身の過去の写真データを用いる場合と同様に、ユーザ５０１による手動での照明条件５１１の調整が更に行われてもよい。他のユーザの過去の写真データを用いることにより、ユーザ５０１は、気に入った任意の写真を入力として、その写真の撮影時の照明条件を再現するように撮影を行うことができるため、当該ユーザ５０１の利便性が更に向上する。
【００７８】
（２−３−２．照明システムの制御方法の処理手順）
以上説明した、制御装置１２３ａによって実行される照明システム１ａの制御方法の処理手順について説明する。なお、上述したように、照明システム１ａでは、自動的に照明条件を決定するために、過去の撮影データ又は過去の写真データが用いられる。以下、過去の撮影データを用いる場合及び過去の写真データを用いる場合における照明システム１ａの制御方法の処理手順について、順に説明する。なお、以下の図１６及び図１７に示す各処理は、図９に示す制御装置１２３ａによって実行される各処理に対応している。制御装置１２３ａを構成するプロセッサが所定のプログラムに従って動作することにより、図１６及び図１７に示す各処理が実行される。図１６及び図１７に示す各処理の詳細については、制御装置１２３ａの機能について説明する際に既に上述しているため、以下の図１６及び図１７に示す各処理についての説明では、これら各処理の概要を述べるに留め、その詳細な説明は省略する。
【００７９】
（２−３−２−１．過去の撮影データが用いられる場合）
図１６を参照して、過去の撮影データが用いられる場合における、照明システム１ａの制御方法の処理手順について説明する。図１６は、第１の実施形態に係る、自動モードで動作される照明システム１ａの、過去の撮影データが用いられる場合における制御方法の処理手順の一例を示すフロー図である。
【００８０】
図１６を参照すると、第１の実施形態に係る、自動モードで動作される照明システム１ａの、過去の撮影データが用いられる場合における制御方法では、まず、過去の撮影データと同一の照明条件が、これから撮影を行う際の照明条件として決定される（ステップＳ２０１）。ステップＳ２０１における処理は、図９に示す照明条件決定部１２６ａが実行する処理に対応している。
【００８１】
次に、決定された照明条件に従って照明装置１１０が駆動される（ステップＳ２０３）。ステップＳ２０３における処理は、図９に示す照明駆動制御部１２７が実行する処理に対応している。
【００８２】
次に、ＲＧＢカメラ１３０による撮影が実行される、すなわち被写体の現在のＲＧＢデータが取得される（ステップＳ２０５）。ステップＳ２０５における処理は、図９に示す撮影制御部１２５が実行する処理に対応している。
【００８３】
次に、過去の撮影データに含まれる被写体の過去のＲＧＢデータと、ＲＧＢカメラ１３０によって取得された被写体の現在のＲＧＢデータと、が比較される（ステップＳ２０７）。ステップＳ２０７における処理は、図９に示す照明条件決定部１２６ａが実行する処理に対応している。
【００８４】
次に、比較結果に基づいて、過去のＲＧＢデータを再現するように、照明条件が変更される（ステップＳ２０９）。ステップＳ２０９における処理は、図９に示す照明条件決定部１２６ａが実行する処理に対応している。
【００８５】
次に、変更された照明条件に従って照明装置１１０が駆動される（ステップＳ２１１）。ステップＳ２１１における処理は、図９に示す照明駆動制御部１２７が実行する処理に対応している。
【００８６】
次に、ＲＧＢカメラ１３０による撮影が実行されるとともに、当該ＲＧＢカメラ１３０によって撮影された画像のスルー画が表示装置１２２に表示される（ステップＳ２１３）。ステップＳ２１３における処理は、図９に示す撮影制御部１２５及び表示制御部１２４が実行する処理に対応している。
【００８７】
次に、照明条件に対する指示入力（入力装置１２１を介したユーザからの指示入力）があるかどうかが判定される（ステップＳ２１５）。ステップＳ２１５における処理は、図９に示す照明条件決定部１２６ａが実行する処理に対応している。
【００８８】
ステップＳ２１５において照明条件に対する指示入力がある場合には、ステップＳ２１７に進む。ステップＳ２１７では、当該指示入力に従って、照明条件が変更される。そして、その変更された照明条件に従って照明装置１１０が駆動される（ステップＳ２１９）。その後、ステップＳ２１３に戻り、当該ステップＳ２１３以降の処理が再度実行される。ステップＳ２１７における処理は、図９に示す照明条件決定部１２６ａが実行する処理に対応している。また、ステップＳ２１９における処理は、図９に示す照明駆動制御部１２７が実行する処理に対応している。
【００８９】
一方、ステップＳ２１５において照明条件に対する指示入力がない場合には、ステップＳ２２１に進む。ステップＳ２２１では、入力装置１２１を介したユーザからの指示入力（静止画を撮影する旨の指示入力）に応じて、ＲＧＢカメラ１３０による静止画の撮影が実行される。ステップＳ２１１における処理は、図９に示す撮影制御部１２５が実行する処理に対応している。
【００９０】
（２−３−２−２．過去の写真データが用いられる場合）
図１７を参照して、過去の写真データが用いられる場合における、照明システム１ａの制御方法の処理手順について説明する。図１７は、第１の実施形態に係る、自動モードで動作される照明システム１ａの、過去の写真データが用いられる場合における制御方法の処理手順の一例を示すフロー図である。
【００９１】
図１７を参照すると、第１の実施形態に係る、自動モードで動作される照明システム１ａの、過去の写真データが用いられる場合における制御方法では、まず、所定の照明条件に従って照明装置１１０が駆動される（ステップＳ３０１）。ステップＳ３０１における処理は、図９に示す照明駆動制御部１２７が実行する処理に対応している。
【００９２】
次に、ＲＧＢカメラ１３０による撮影が実行される、すなわち現在のＲＧＢデータが取得される（ステップＳ３０３）。ステップＳ３０３における処理は、図９に示す撮影制御部１２５が実行する処理に対応している。
【００９３】
次に、過去の写真データから抽出される被写体の過去のＲＧＢデータと、ＲＧＢカメラ１３０によって取得された被写体の現在のＲＧＢデータと、が比較される（ステップＳ３０５）。ステップＳ３０５における処理は、図９に示す照明条件決定部１２６ａが実行する処理に対応している。
【００９４】
次に、比較結果に基づいて、過去のＲＧＢデータを再現するように、照明条件が決定される（ステップＳ３０７）。ステップＳ３０７における処理は、図９に示す照明条件決定部１２６ａが実行する処理に対応している。
【００９５】
次に、決定された照明条件に従って照明装置１１０が駆動される（ステップＳ３０９）。ステップＳ３０９における処理は、図９に示す照明駆動制御部１２７が実行する処理に対応している。
【００９６】
次に、ＲＧＢカメラ１３０による撮影が実行されるとともに、当該ＲＧＢカメラ１３０によって撮影された画像のスルー画が表示装置１２２に表示される（ステップＳ３１１）。ステップＳ３１１における処理は、図９に示す撮影制御部１２５及び表示制御部１２４が実行する処理に対応している。
【００９７】
次に、照明条件に対する指示入力（入力装置１２１を介したユーザからの指示入力）があるかどうかが判定される（ステップＳ３１３）。ステップＳ３１３における処理は、図９に示す照明条件決定部１２６ａが実行する処理に対応している。
【００９８】
ステップＳ３１３において照明条件に対する指示入力がある場合には、ステップＳ３１５に進む。ステップＳ３１５では、当該指示入力に従って、照明条件が変更される。そして、その変更された照明条件に従って照明装置１１０が駆動される（ステップＳ３１７）。その後、ステップＳ３１１に戻り、当該ステップＳ２１３以降の処理が再度実行される。ステップＳ３１５における処理は、図９に示す照明条件決定部１２６ａが実行する処理に対応している。また、ステップＳ３１７における処理は、図９に示す照明駆動制御部１２７が実行する処理に対応している。
【００９９】
一方、ステップＳ３１３において照明条件に対する指示入力がない場合には、ステップＳ３１９に進む。ステップＳ３１９では、入力装置１２１を介したユーザからの指示入力（静止画を撮影する旨の指示入力）に応じて、ＲＧＢカメラ１３０による静止画の撮影が実行される。ステップＳ３１３における処理は、図９に示す撮影制御部１２５が実行する処理に対応している。
【０１００】
（２−３−３．変形例）
以上説明した、第１の実施形態に係る、自動モードで動作される照明システム１ａの一変形例について説明する。以上説明した照明システム１ａは、照明装置１１０、端末１２０ａ及びＲＧＢカメラ１３０を備えていた。ただし、第１の実施形態はかかる例に限定されず、照明システム１ａは、これらの構成に加えて、デプスカメラを更に備えてもよい。
【０１０１】
図１８及び図１９を参照して、このような、デプスカメラを更に備える変形例に係る照明システムについて説明する。図１８は、第１の実施形態に係る、デプスカメラを更に備える変形例に係る照明システムの概略構成を示す図である。図１９は、第１の実施形態に係る、デプスカメラを更に備える変形例に係る照明システムの機能構成の一例を示すブロック図である。
【０１０２】
図１８及び図１９を参照すると、本変形例に係る照明システム１ｂは、照明装置１１０と、端末１２０ｂと、ＲＧＢカメラ１３０と、デプスカメラ１４０と、を備える。また、端末１２０ｂは、入力装置１２１と、表示装置１２２と、制御装置１２３ｂと、を有する。ここで、照明装置１１０及びＲＧＢカメラ１３０、並びに端末１２０ｂの入力装置１２１及び表示装置１２２の構成及び機能は、図９に示す自動モードで動作される照明システム１ａにおけるこれらの装置と同様であるため、ここではその詳細な説明を省略する。
【０１０３】
図１９を参照すると、制御装置１２３ｂは、その機能として、表示制御部１２４と、撮影制御部１２５と、照明条件決定部１２６ｂと、照明駆動制御部１２７と、を有する。制御装置１２３ｂのプロセッサが所定のプログラムに従って演算処理を実行することにより、これらの機能が実現され得る。ここで、表示制御部１２４、撮影制御部１２５、及び照明駆動制御部１２７の機能は、図９に示す自動モードで動作される照明システム１ａにおけるこれらの機能と同様であるため、ここではその詳細な説明を省略する。
【０１０４】
このように、照明システム１ｂは、照明システム１ａにおいて、デプスカメラ１４０が更に設けられるとともに、端末１２０の制御装置１２３ａが制御装置１２３ｂに変更されたものに対応する。なお、制御装置１２３ｂの装置構成は、制御装置１２３ａの装置構成と同様であり、制御装置１２３ｂは、その機能が、制御装置１２３ａから変更されたものに対応する。
【０１０５】
デプスカメラ１４０は、被写体のデプスデータ（すなわち、被写体の当該デプスカメラ１４０からの距離についての情報）を取得する機能を有するカメラである。照明システム１ｂでは、撮影時に、撮影制御部１２５からの制御により、ＲＧＢカメラ１３０によって被写体のＲＧＢデータが取得されるとともに、デプスカメラ１４０によって被写体のデプスデータが取得される。
【０１０６】
照明システム１ｂでは、照明条件についての情報及び被写体のＲＧＢデータに加えて、被写体の当該デプスデータが、撮影データに含まれる。つまり、過去の撮影データとして、過去に撮影が行われた際における、照明条件についての情報、被写体のＲＧＢデータ、及び被写体のデプスデータが、端末１２０の制御装置１２３ｂに入力される。また、被写体の現在のＲＧＢデータが取得される際に、当該被写体のデプスデータも併せて取得される。
【０１０７】
過去の撮影データ又は過去の写真データを用いる写真撮影時における、照明条件決定部１２６ｂの処理は、上述した照明システム１ａの照明条件決定部１２６ａと略同様である。ただし、照明条件決定部１２６ｂは、被写体の過去のＲＧＢデータと被写体の現在のＲＧＢデータとを比較して照明条件を変更する際に、被写体のデプスデータを更に用いる。
【０１０８】
具体的には、上述した照明条件決定部１２６ａでは、ＲＧＢデータから、ピクセルごと又は複数のピクセルからなる所定の領域ごとに明度等を算出し、過去のＲＧＢデータと現在のＲＧＢデータについてその値を比較することによって、過去のＲＧＢデータを再現するように照明条件を決定していた。これに対して、照明システム１ｂでは、過去の撮影データには被写体のデプスデータが含まれており、現在の被写体についてのデプスデータも取得されている。従って、照明条件決定部１２６ｂは、デプスデータが存在するものについては、ＲＧＢデータ及びデプスデータから、ボクセルごと又は複数のボクセルからなる所定の領域ごとに明度等を算出し、過去のＲＧＢデータと現在のＲＧＢデータについてその値を比較することによって、過去のＲＧＢデータを再現するように照明条件を決定する。このように、本変形例によれば、デプスデータを用いることにより、ボクセルごとに（すなわち、３次元的に）、照明光の照射具合を解析することができるため、より精度良く過去のＲＧＢデータを再現するように照明条件を決定することが可能になる。なお、過去の写真データについては、デプスデータの抽出が難しい場合も考えられるが、その場合には、過去の写真データについては、照明条件決定部１２６ａと同様に、ピクセルごと又は複数のピクセルからなる所定の領域ごとに明度等を算出し、その値を比較に用いればよい。
【０１０９】
（２−４．第１の実施形態のまとめ）
以上、本開示の第１の実施形態について説明した。以上説明したように、第１の実施形態では、写真撮影時の照明装置として照明装置１１０を用いる、照明システム１、１ａ、１ｂが構築される。照明装置１１０では、例えば、顔の一部領域のみ他の領域よりも明るくする、顔の一部領域のみ他の領域とは異なる色の照明光を照射する等、被写体に対する照明光の照射状態を、詳細に制御することが可能であるため、照明システム１、１ａ、１ｂによれば、一般の生活環境であっても、専用の写真スタジオで撮影された写真と同等の、高品質な写真を撮影することが可能となる。従って、ユーザの利便性を向上させることができる。
【０１１０】
また、第１の実施形態では、照明条件の決定方法として、手動モード及び自動モードのいずれかが適宜選択可能である。手動モードでは、ユーザが自由に照明条件を決定することができるため、より自由度の高い照明装置１１０の駆動制御が可能になる。また、自動モードでは、所定の情報（具体的には、過去に良好な写真が得られた際の撮影データ又は過去に取得された良好な写真データ）における照明の状態を再現するように、照明条件が自動的に決定される。従って、ユーザが煩雑な操作を行うことなく、所望の照明光が実現され得るように照明装置１１０を駆動させることが可能となる。このように、手動モード及び自動モードを適宜選択することにより、写真撮影時におけるユーザの利便性を更に向上させることができる。
【０１１１】
（３．第２の実施形態）
（３−１．第２の実施形態の概要）
本開示の第２の実施形態について説明する。第２の実施形態では、照明装置１１０を鏡の照明として用いる。
【０１１２】
上述したように、照明装置１１０によれば、詳細な照明光の制御が可能となるため、当該照明装置１１０を鏡の照明として用いて、その照明光を適宜調整することにより、当該ユーザは鏡面上の自身の姿をより鮮明に視認することが可能になる。従って、例えば鏡を見ながら化粧をする場合や、姿見によって服装を確認する場合等、鏡によって自身の姿を確認する際における、当該ユーザの利便性を向上させることができる。
【０１１３】
以下、第２の実施形態に係る照明システムの構成及び機能について詳細に説明する。ここで、第２の実施形態に係る照明システムでは、第１の実施形態と同様に、その照明装置１１０における照明条件の決定方法について、手動モード及び自動モードが存在し得る。以下、これらのモードのそれぞれにおける照明システムの構成及び機能について順に説明する。
【０１１４】
（３−２．手動モード）
まず、手動モードにおける照明システムの構成及び機能について説明する。
【０１１５】
（３−２−１．照明システムの構成）
図２０は、第２の実施形態に係る、手動モードで動作される照明システムの概略構成を示す図である。図２０を参照すると、第２の実施形態に係る、手動モードで動作される照明システム２は、照明装置１１０と、端末２１０と、鏡２２０と、を備える。なお、照明装置１１０の構成及び機能は、第１の実施形態における照明装置１１０と同様であるため、ここではその詳細な説明を省略する。
【０１１６】
端末２１０は、照明システム２の動作を統合的に管理する情報処理装置である。図２０では簡略化して図示しているが、端末２１０は、少なくとも、入力装置、表示装置及び制御装置を有する。ここで、端末２１０の構成は、制御装置の機能が異なる点以外は、図４及び図７を参照して上述した第１の実施形態に係る端末１２０と同様である。従って、ここでは、端末２１０について、端末１２０と同一の事項についてはその詳細な説明を省略する。なお、端末２１０の制御装置の機能については、図２３を参照して後述する。
【０１１７】
鏡２２０は、一般的に家庭で用いられている鏡と同様のものであってよい。図示する例では、鏡２２０は、照明装置１１０の照明光の照射面の略中央に、その鏡面が当該照射面と平行で、かつ当該照明光の照射方向を向くように設置されている。かかる位置に鏡２２０を設置することにより、ユーザは、自身の正面から照明光が照射されている状態で、鏡２２０に映った自身の姿を確認することが可能となり、自身の姿をより鮮明に視認することが可能になる。ただし、鏡２２０の設置位置は図示する例に限定されず、鏡２２０は、その鏡面が照明装置１１０による照明光の照射範囲に向くように設置されればよく、その設置位置は任意であってよい。
【０１１８】
（３−２−２．鏡の照明における照明システムの動作の概要）
図２１を参照して、以上説明した照明システム２の動作の概要について説明する。図２１は、鏡の照明として動作する際における、手動モード時での照明システム２の動作について説明するための図である。
【０１１９】
まず、照明システム２において、照明装置１１０が動作していない場合には、鏡２２０に映ったユーザ５０１の姿は、暗く、鮮明なものではない（図２１左図）。そこで、照明システム２では、ユーザ５０１が、端末２１０を用いて、仮想的な照明器具を配置することができる。照明システム２では、第１の実施形態と同様に、仮想的な照明器具を配置するためのＧＵＩが提供され得る。具体的には、当該ＧＵＩとしては、端末２１０の表示装置の画面上に、ユーザ５０１を表すアイコン５１５及び仮想的な照明器具を表すアイコン５０５が表示される（図２１中図）。ユーザ５０１は、端末２１０の入力装置を介した操作により、自身を表すアイコン５１５に対する、仮想的な照明器具を表すアイコン５０５の種類、数、位置及び方向を調整することができる。
【０１２０】
仮想的な照明器具の配置が決定すると、その決定された仮想的な照明器具による照明光を再現するように、端末２１０の制御装置が照明装置１１０を駆動させる。当該処理が実行されることにより、ユーザ５０１は、仮想的な照明器具を再現した照明装置１１０による照明光を受けながら、自身の姿を鏡２２０によって確認することができる（図２１右図）。
【０１２１】
なお、仮想的な照明器具を配置する方法は、ＧＵＩを用いる方法に限定されず、例えばジェスチャや音声等、他の方法によって仮想的な照明器具が配置されてもよい。図２２は、このような他の方法の一例として、ジェスチャによって仮想的な照明器具を配置する方法について説明するための図である。当該方法では、図２２に示すように、ユーザ５０１が所定の動作（図示する例であれば腕を振る動作）を行うことにより、当該動作に応じて、仮想的な照明器具の種類、数、位置及び方向が調整され得る。図２２では、ジェスチャによって仮想的な照明器具の配置が変更されることを示すために、説明の都合上、図２０と同様のＧＵＩに係る画面を図示しているが、ジェスチャによって仮想的な照明器具が配置される場合には、当該画面は端末２１０の表示装置に表示されなくてもよい。
【０１２２】
また、ジェスチャと音声を組み合わせて、仮想的な照明器具が配置されてもよい。例えば、以下のような方法が想定される。「スポットライト追加」等の音声によるコマンドによって、照明装置１１０の照射面の上部（すなわち、鏡２２０の上方）に仮想的なスポットライトが出現する。この状態で、手を振るジェスチャを行うことにより、照明装置１１０の照射面内での、当該仮想的なスポットライトの位置が移動する。その後、「ＯＫ」等の音声によるコマンドによって、当該仮想的なスポットライトの位置が確定される。
【０１２３】
（３−２−３．照明システムの機能構成）
以上説明した鏡の照明として用いられる際の動作を実現する、照明システム２の機能構成について説明する。図２３は、第２の実施形態に係る、手動モードで動作される照明システム２の機能構成の一例を示すブロック図である。
【０１２４】
図２３を参照すると、上述したように、第２の実施形態に係る、手動モードで動作される照明システム２は、照明装置１１０と、端末２１０と、鏡２２０と、を備える。また、端末２１０は、入力装置１２１と、表示装置１２２と、制御装置２１３と、を有する。ここで、照明装置１１０、入力装置１２１及び表示装置１２２の構成及び機能は、上述した、第１の実施形態に係る、手動モードで動作される照明システム１におけるこれらの装置と同様であるため、ここでは詳細な説明を省略する。また、鏡２２０の構成及び機能についても既に説明しているため、ここでは詳細な説明を省略する。
【０１２５】
図２３を参照すると、端末２１０の制御装置２１３は、その機能として、表示制御部１２４と、照明条件決定部１２６と、照明駆動制御部１２７と、を有する。制御装置２１３は、第１の実施形態に係る制御装置１２３と同様の装置構成を有しており、制御装置２１３のプロセッサが所定のプログラムに従って演算処理を実行することにより、これらの機能が実現され得る。
【０１２６】
表示制御部１２４、照明条件決定部１２６及び照明駆動制御部１２７の機能は、図７に示す、第１の実施形態に係る、手動モードで動作される照明システム１における制御装置１２３のこれらの機能と略同様である。具体的には、表示制御部１２４は、表示装置１２２の動作を制御し、当該表示装置１２２に、仮想的な照明器具を配置する際のＧＵＩに係る表示画面を表示させる。この際、表示制御部１２４は、入力装置１２１を介したユーザの操作に応じて、当該表示画面上のＧＵＩ部品（アイコン等）の移動等の表示を併せて制御する。また、照明条件決定部１２６は、ユーザによって入力装置１２１を介して入力された仮想的な照明器具の配置についての情報に基づいて、その仮想的な照明器具の配置による照明光を実現するように、照明条件を決定する。また、照明駆動制御部１２７は、照明条件決定部１２６によって決定された照明条件に従って照明装置１１０を駆動させる。
【０１２７】
このように、照明システム２の機能構成は、照明システム１に対して、鏡２２０の機能が追加されるとともに、ＲＧＢカメラ１３０の機能及びＲＧＢカメラ１３０に関連する機能が取り除かれたものに対応する。
【０１２８】
（３−２−４．照明システムの制御方法の処理手順）
以上説明した、制御装置２１３によって実行される照明システム２の制御方法の処理手順について説明する。図２４は、第２の実施形態に係る照明システム２の手動モード時における制御方法の処理手順の一例を示すフロー図である。なお、図２４に示す各処理は、図２３に示す制御装置２１３によって実行される各処理に対応している。制御装置２１３を構成するプロセッサが所定のプログラムに従って動作することにより、図２４に示す各処理が実行される。図２４に示す各処理の詳細については、制御装置２１３の機能について説明する際に既に上述しているため、以下の図２４に示す各処理についての説明では、これら各処理の概要を述べるに留め、その詳細な説明は省略する。
【０１２９】
図２４を参照すると、第２の実施形態に係る照明システム２の手動モード時における制御方法では、まず、入力装置１２１を介したユーザからの指示入力（仮想的な照明器具を配置する旨の指示入力）に応じて、照明条件が決定される（ステップＳ４０１）。ステップＳ４０１における処理は、図２３に示す照明条件決定部１２６が実行する処理に対応している。
【０１３０】
次に、決定された照明条件に従って照明装置１１０が駆動される（ステップＳ４０３）。ステップＳ４０３における処理は、図２３に示す照明駆動制御部１２７が実行する処理に対応している。
【０１３１】
次に、照明条件に対する更なる指示入力があるかどうかが判定される（ステップＳ４０５）。ステップＳ４０５における処理は、図２３に示す照明条件決定部１２６が実行する処理に対応している。
【０１３２】
ステップＳ４０５において照明条件に対する更なる指示入力がある場合には、ステップＳ４０１に戻り、照明条件決定部１２６によって、その更なる指示入力に応じて照明条件が決定される。そして、ステップＳ４０３以降の処理が再度実行される。
【０１３３】
ステップＳ４０５において照明条件に対する更なる指示入力がない場合には、一連の処理を終了する。
【０１３４】
（３−３．自動モード）
次に、自動モードにおける照明システムの構成及び機能について説明する。
【０１３５】
（３−３−１．照明システムの構成）
図２５は、第２の実施形態に係る、自動モードで動作される照明システムの概略構成を示す図である。図２５を参照すると、第２の実施形態に係る、自動モードで動作される照明システム２ａは、照明装置１１０と、ＲＧＢカメラ１３０と、端末２１０ａと、鏡２２０と、を備える。このように、照明システム２ａは、図２０を参照して説明した、第２の実施形態に係る、手動モードで動作される照明システム２において、ＲＧＢカメラ１３０が更に設けられるとともに、端末２１０が端末２１０ａに変更されたものに対応する。なお、端末２１０ａの構成及び機能については、図２６を参照して後述する。
【０１３６】
ＲＧＢカメラ１３０の構成及び機能は、第１の実施形態におけるＲＧＢカメラ１３０と同様である。具体的には、ＲＧＢカメラ１３０は、照明装置１１０による照明光の照射範囲を撮影可能な位置に設置されており、照明装置１１０によって照明光が照射されているユーザを撮影し、その画像データ（ＲＧＢデータ）を取得する。ＲＧＢカメラ１３０によって取得されたＲＧＢデータは、照明条件を自動的に決定する際に用いられる。ただし、第１の実施形態では、ＲＧＢカメラ１３０によって取得されたスルー画が端末１２０、１２０ａ、１２０ｂの表示装置に表示され得るが、第２の実施形態では、当該スルー画は、端末２１０ａの表示装置に表示されない。第１の実施形態では、ユーザが、当該スルー画によって照明効果を確認して、照明条件の調整を行い得るが、第２の実施形態では、ユーザは、鏡２２０によって照明効果を確認して、照明条件の調整を行うことができるため、スルー画を表示する必要がないからである。
【０１３７】
（３−３−２．照明システムの機能構成）
図２６を参照して、照明システム２ａの機能構成について説明する。図２６は、第２の実施形態に係る、自動モードで動作される照明システム２ａの機能構成の一例を示すブロック図である。
【０１３８】
図２６を参照すると、上述したように、第２の実施形態に係る、自動モードで動作される照明システム２ａは、照明装置１１０と、ＲＧＢカメラ１３０と、端末２１０ａと、鏡２２０と、を備える。また、端末２１０ａは、入力装置１２１と、表示装置１２２と、制御装置２１３ａと、を有する。ここで、照明装置１１０、鏡２２０、並びに端末２１０ａの入力装置１２１及び表示装置１２２の構成及び機能は、図２３に示す手動モードで動作される照明システム２におけるこれらの装置と同様であるため、ここではその詳細な説明を省略する。このように、照明システム２ａは、照明システム２において、ＲＧＢカメラ１３０が追加されるとともに、端末２１０の制御装置２１３が制御装置２１３ａに変更されたものに対応する。なお、制御装置２１３ａの装置構成は、制御装置２１３の装置構成と同様であり、制御装置２１３ａは、その機能が、制御装置２１３から変更されたものに対応する。
【０１３９】
図２６を参照すると、制御装置２１３ａは、その機能として、表示制御部１２４と、撮影制御部１２５と、照明条件決定部１２６ａと、照明駆動制御部１２７と、を有する。制御装置２１３ａのプロセッサが所定のプログラムに従って演算処理を実行することにより、これらの機能が実現され得る。ここで、表示制御部１２４、撮影制御部１２５、照明条件決定部１２６ａ、及び照明駆動制御部１２７の機能は、図９を参照して説明した、第１の実施形態に係る、自動モードで動作される照明システム１ａにおけるこれらの機能と略同様である。ただし、第２の実施形態では、表示制御部１２４は、スルー画を表示する制御は行わない。また、第２の実施形態では、撮影制御部１２５は、ユーザの指示入力に応じた静止画の撮影の制御は行わない。このように、制御装置２１３ａでは、スルー画が表示されないこと、及び照明条件が確定した状態での最終的なＲＧＢカメラ１３０による静止画の撮影が行われないこと以外は、照明システム１ａの制御装置１２３ａと同様の処理が実行される。
【０１４０】
具体的には、自動モードにおいては、制御装置２１３ａに、過去の撮影データ又は過去の写真データが入力される。過去の撮影データが入力された場合には、制御装置２１３ａにおいて、以下の処理が実行され、自動的に照明条件が決定される。まず、照明条件決定部１２６ａが、当該過去の撮影データに含まれる照明条件を、これから撮影を行う際の照明条件として決定する。次に、照明駆動制御部１２７は、この決定された照明条件に従って照明装置１１０を駆動する。次に、この状態で、撮影制御部１２５が、ＲＧＢカメラ１３０によって照明光が照射されているユーザの画像を撮影する（すなわち、ユーザのＲＧＢデータを取得する）。次に、照明条件決定部１２６ａが、この現在のＲＧＢデータと過去の撮影データに含まれる過去のＲＧＢデータとを比較することにより、過去のＲＧＢデータを再現するように、照明条件を変更する。この現在のＲＧＢデータと過去のＲＧＢデータとの具体的な比較方法は、第１の実施形態と同様である。そして、照明駆動制御部１２７が、変更後の照明条件に従って照明装置１１０を駆動する。
【０１４１】
一方、過去の写真データが入力された場合には、制御装置２１３ａにおいて、以下の処理が実行され、自動的に照明条件が決定される。まず、照明条件決定部１２６ａが、所定の照明条件を、これから撮影を行う際の照明条件として決定する。次に、照明駆動制御部１２７は、この決定された照明条件に従って照明装置１１０を駆動する。次に、この状態で、撮影制御部１２５が、ＲＧＢカメラ１３０によって照明光が照射されているユーザの画像を撮影する（すなわち、ユーザのＲＧＢデータを取得する）。次に、照明条件決定部１２６ａが、この現在のＲＧＢデータと過去の写真データから抽出されたＲＧＢデータとを比較することにより、過去のＲＧＢデータを再現するように、照明条件を変更する。この現在のＲＧＢデータと過去のＲＧＢデータとの具体的な比較方法は、第１の実施形態と同様であってよい。そして、照明駆動制御部１２７が、変更後の照明条件に従って照明装置１１０を駆動する。
【０１４２】
なお、第１の実施形態と同様に、以上説明したように過去の撮影データ又は過去の写真データに基づいて自動的に照明条件が決定された場合において、ユーザは、必要に応じて、入力装置１２１を介した指示入力により、照明条件を調整することが可能である。
【０１４３】
また、過去の撮影データ及び過去の写真データを取得する方法も、第１の実施形態と同様であってよい。すなわち、過去の撮影データは、ユーザ自身が過去に取得した撮影データがＤＢに格納されていてもよいし、ソーシャルメディア等を介して他のユーザの撮影データが取得されてもよい。また、過去の写真データは、ユーザ自身が過去に取得した写真データであってもよいし、雑誌やインターネット上等に存在する他のユーザの写真データであってもよい。
【０１４４】
なお、制御装置２１３ａによって実行される照明システム２ａの制御方法の処理手順は、以上説明したように、スルー画が表示されないこと、及び照明条件が確定した状態での最終的なＲＧＢカメラ１３０による静止画の撮影が行われないこと以外は、図１６及び図１７を参照して説明した、制御装置１２３ａによって実行される照明システム１ａの制御方法の処理手順と同様である。従って、ここでは、制御装置２１３ａによって実行される照明システム２ａの制御方法の処理手順についての詳細な説明は省略する。
【０１４５】
（３−３−３．変形例）
以上説明した、第２の実施形態に係る、自動モードで動作される照明システム２ａの一変形例について説明する。以上説明した照明システム２ａは、照明装置１１０、ＲＧＢカメラ１３０、端末２１０ａ、及び鏡２２０を備えていた。ただし、第２の実施形態はかかる例に限定されず、照明システム２ａは、これらの構成に加えて、更に、デプスカメラを備えてもよい。
【０１４６】
図２７及び図２８を参照して、このようなデプスカメラを更に備える変形例に係る照明システムについて説明する。図２７は、第２の実施形態に係る、デプスカメラを更に備える変形例に係る照明システムの概略構成を示す図である。図２８は、第２の実施形態に係る、デプスカメラを更に備える変形例に係る照明システムの機能構成の一例を示すブロック図である。
【０１４７】
図２７及び図２８を参照すると、本変形例に係る照明システム２ｂは、照明装置１１０と、端末２１０ｂと、ＲＧＢカメラ１３０と、デプスカメラ１４０と、を備える。また、端末２１０ｂは、入力装置１２１と、表示装置１２２と、制御装置２１３ｂと、を有する。ここで、照明装置１１０及びＲＧＢカメラ１３０、並びに端末２１０ａの入力装置１２１及び表示装置１２２の構成及び機能は、図２５及び図２６に示す自動モードで動作される照明システム２ａにおけるこれらの装置と同様であるため、ここではその詳細な説明を省略する。このように、照明システム２ｂは、照明システム２ａにおいて、デプスカメラ１４０が追加されるとともに、端末２１０ａの制御装置２１３ａが制御装置２１３ｂに変更されたものに対応する。なお、制御装置２１３ｂの装置構成は、制御装置２１３ａの装置構成と同様であり、制御装置２１３ｂは、その機能が、制御装置２１３ａから変更されたものに対応する。
【０１４８】
デプスカメラ１４０の構成及び機能は、第１の実施形態におけるデプスカメラ１４０の構成及び機能と同様である。具体的には、デプスカメラ１４０は、照明装置１１０による照明光の照射範囲を撮影可能な位置に設置されており、後述する制御装置２１３ｂの撮影制御部１２５からの制御により、照明装置１１０によって照明光が照射されているユーザを撮影し、そのデプスデータを取得する。デプスカメラ１４０によって取得されたデプスデータは、照明条件を自動的に決定する際に用いられる。
【０１４９】
図２８を参照すると、制御装置２１３ｂは、その機能として、表示制御部１２４と、撮影制御部１２５と、照明条件決定部１２６ｂと、照明駆動制御部１２７と、を有する。制御装置２１３ｂのプロセッサが所定のプログラムに従って演算処理を実行することにより、これらの機能が実現され得る。ここで、表示制御部１２４、撮影制御部１２５、照明条件決定部１２６ｂ、及び照明駆動制御部１２７の機能は、図１９を参照して説明した、第１の実施形態の一変形例に係る、自動モードで動作される照明システム１ｂにおけるこれらの機能と略同様である。ただし、制御装置２１３ｂでは、表示制御部１２４は、スルー画を表示する制御は行わない。また、制御装置２１３ｂでは、撮影制御部１２５は、ユーザの指示入力に応じた静止画の撮影の制御は行わない。このように、制御装置２１３ｂでは、スルー画が表示されないこと、及び照明条件が確定した状態での最終的なＲＧＢカメラ１３０による静止画の撮影が行われないこと以外は、照明システム１ｂの制御装置１２３ｂと同様の処理が実行される。
【０１５０】
具体的には、照明システム２ｂでは、制御装置２１３ｂの照明条件決定部１２６ｂによって、照明システム１ｂの照明条件決定部１２６ｂと同様に、過去の撮影データ又は過去の写真データに基づいて、自動的に照明条件を決定する処理が実行される。この際、照明条件決定部１２６ｂは、過去のＲＧＢデータと現在のＲＧＢデータとを比較し、ＲＧＢデータに加えて、デプスデータも用いて、過去のＲＧＢデータを再現するような照明条件を決定する。デプスデータを用いることにより、より精度良く過去の撮影データ又は過去の写真データにおける照明状態を再現することが可能になる。
【０１５１】
（３−４．第２の実施形態のまとめ）
以上、本開示の第２の実施形態について説明した。以上説明したように、第２の実施形態では、ユーザが鏡で自身を確認する際の照明装置として照明装置１１０を用いる、照明システム２、２ａ、２ｂが構築される。照明装置１１０では、例えば、顔の一部領域のみ他の領域よりも明るくする、顔の一部領域のみ他の領域とは異なる色の照明光を照射する等、ユーザに対する照明光の照射状態を、詳細に制御することが可能であるため、照明システム２、２ａ、２ｂによれば、目的に合った所望の照明効果の下で、ユーザが鏡によって自身を確認することが可能となる。従って、ユーザの利便性を向上させることができる。
【０１５２】
また、第２の実施形態では、照明条件の決定方法として、手動モード及び自動モードのいずれかが適宜選択可能である。手動モードでは、ユーザが自由に照明条件を決定することができるため、より自由度の高い照明装置１１０の駆動制御が可能になる。また、自動モードでは、所定の情報（具体的には、過去に良好な照明の状態が得られた際の撮影データ又は過去に取得された良好な写真データ）における照明の状態を再現するように、照明条件が自動的に決定される。従って、ユーザが煩雑な操作を行うことなく、所望の照明光が実現され得るように照明装置１１０を駆動させることが可能となる。このように、手動モード及び自動モードを適宜選択することにより、鏡の照明として照明装置１１０を用いる際におけるユーザの利便性を更に向上させることができる。
【０１５３】
（４．第３の実施形態）
（４−１．第３の実施形態の概要）
本開示の第３の実施形態について説明する。第３の実施形態では、照明装置１１０を部屋の照明として用いる。
【０１５４】
上述したように、照明装置１１０によれば、詳細な照明光の制御が可能となるため、当該照明装置１１０を部屋の照明として用いて、その照明光を適宜調整することにより、照明装置１１０自体を交換しなくても、例えば食事、テレビの視聴等、状況に応じた様々な照明効果を得ることが可能になる。
【０１５５】
図２９は、第３の実施形態における、照明装置１１０の動作の概要について説明するための図である。図２９に示すように、第３の実施形態では、ユーザ５０１の居室の天井に照明装置１１０が設置されることが想定される。照明装置１１０を適宜駆動させることにより、例えば、シャンデリアを模擬した照明（図２９左図）、夜景を模擬した照明（図２９中図）、及びスポットライトを模擬した照明（図２９右図）等を再現することが可能である。
【０１５６】
以下、第３の実施形態に係る照明システムの構成及び機能について詳細に説明する。ここで、第３の実施形態に係る照明システムでは、第１の実施形態と同様に、その照明装置１１０における照明条件の決定方法について、手動モード及び自動モードが存在し得る。以下、これらのモードのそれぞれにおける照明システムの構成及び機能について順に説明する。
【０１５７】
（４−２．手動モード）
まず、手動モードにおける照明システムの構成及び機能について説明する。
【０１５８】
（４−２−１．照明システムの構成）
図３０は、第３の実施形態に係る、手動モードで動作される照明システムの概略構成を示す図である。図３０を参照すると、第３の実施形態に係る、手動モードで動作される照明システム３は、照明装置１１０と、端末３１０と、を備える。第３の実施形態では、図示するように、ユーザの居室の天井に、その照射方向が下向きになるように照明装置１１０が設置される。なお、照明装置１１０の構成及び機能は、第１の実施形態における照明装置１１０と同様であるため、ここではその詳細な説明を省略する。
【０１５９】
端末３１０は、照明システム３の動作を統合的に管理する情報処理装置である。図３０では簡略化して図示しているが、端末３１０は、少なくとも、入力装置、表示装置及び制御装置を有する。ここで、端末３１０の構成は、制御装置の機能が異なる点以外は、図４及び図７を参照して上述した第１の実施形態に係る端末１２０と同様である。従って、ここでは、端末３１０について、端末１２０と同一の事項についてはその詳細な説明を省略する。なお、端末３１０の制御装置の機能については、図３３を参照して後述する。
【０１６０】
（４−２−２．部屋の照明における照明システムの動作の概要）
図３１を参照して、以上説明した照明システム３の動作の概要について説明する。図３１は、部屋の照明として動作する際における、手動モード時での照明システム３の動作について説明するための図である。
【０１６１】
照明システム３では、ユーザ５０１が、端末３１０を用いて、仮想的な照明器具を配置することができる。具体的には、照明システム３では、第１の実施形態と同様に、仮想的な照明器具を配置するためのＧＵＩが提供され得る。図３１に示すように、当該ＧＵＩとしては、端末３１０の表示装置の画面上に、仮想的な照明器具を表すアイコン５０５が表示される（図３１中図）。ユーザ５０１は、端末３１０の入力装置を介した操作により、仮想的な照明器具を表すアイコン５０５の種類、数、位置及び方向を調整することができる。仮想的な照明器具の配置が決定すると、その決定された仮想的な照明器具による照明光を再現するように、端末３１０の制御装置が照明装置１１０を駆動させる。当該処理が実行されることにより、部屋の照明として、ユーザ５０１の所望の照明効果を実現することができる。このとき、仮想的な照明器具を表すアイコン５０５の配置の変更と、その仮想的な照明器具による照明光を再現するような照明装置１１０の駆動は、連続的に、繰り返し実行されてよく、ユーザ５０１は、部屋の照明の様子を実際に確認しながら、仮想的な照明器具の配置を適宜調整することが可能である。
【０１６２】
なお、仮想的な照明器具を配置するためのＧＵＩとして、図３１に示すもの以外のＧＵＩが提供されてもよい。図３２は、このような、仮想的な照明器具を配置するための他のＧＵＩについて説明するための図である。例えば、照明装置１１０が設置された部屋の天井に、室内の様子を俯瞰して撮影可能なカメラを設置し、図３２に示すように、当該カメラによって撮影された部屋の様子をＧＵＩに係る表示画面として表示させる。ユーザ５０１は、当該表示画面上で、部屋の様子を映した画面に重畳させるように、仮想的な照明器具を表すアイコン５０５を適宜配置することができる。かかるＧＵＩによれば、実際の室内の様子を参照しながら、例えば家具の配置等を考慮して仮想的な照明器具を配置することができるため、より適切に当該仮想的な照明器具を配置することが可能となる。例えば、ダイニングテーブルの上にペンダントライトに対応する仮想的な照明器具を配置する等の、家具の配置に応じたより直感的な操作が可能になる。
【０１６３】
また、仮想的な照明器具を配置する方法は、ＧＵＩを用いる方法に限定されず、例えばジェスチャや音声等、他の方法によって仮想的な照明器具が配置されてもよい。図３３は、このような他の方法の一例として、ジェスチャによって仮想的な照明器具を配置する方法について説明するための図である。当該方法では、図３３左図に示すように、ユーザ５０１が所定の動作（図示する例であれば腕を振る動作）を行うことにより、当該動作に応じて、仮想的な照明器具の種類、数、位置及び方向が調整され得る（図３３中図）。そして、その決定された仮想的な照明器具による照明光を再現するように、端末３１０の制御装置が照明装置１１０を駆動させる（図３３右図）。なお、図３３では、ジェスチャによって仮想的な照明器具の配置が変更されることを示すために、説明の都合上、図３１と同様のＧＵＩに係る画面を図示しているが、ジェスチャによって仮想的な照明器具が配置される場合には、当該画面は端末３１０の表示装置に表示されなくてもよい。
【０１６４】
また、ジェスチャと音声を組み合わせて、仮想的な照明器具が配置されてもよい。例えば、以下のような方法が想定される。「スポットライト追加」等の音声によるコマンドによって、照明装置１１０の略中央に仮想的なスポットライトが出現する。この状態で、手を振るジェスチャを行うことにより、照明装置１１０の照射面内での、当該仮想的なスポットライトの位置が移動する。その後、「ＯＫ」等の音声によるコマンドによって、当該仮想的なスポットライトの位置が確定される。
【０１６５】
（４−２−３．照明システムの機能構成）
以上説明した動作を実現する、照明システム３の機能構成について説明する。図３４は、第３の実施形態に係る、手動モードで動作される照明システム３の機能構成の一例を示すブロック図である。
【０１６６】
図３４を参照すると、上述したように、第３の実施形態に係る、手動モードで動作される照明システム３は、照明装置１１０と、端末３１０と、を備える。また、端末３１０は、入力装置１２１と、表示装置１２２と、制御装置３１３と、を有する。ここで、照明装置１１０、並びに端末３１０の入力装置１２１及び表示装置１２２の構成及び機能は、上述した、第１の実施形態に係る、手動モードで動作される照明システム１におけるこれらの装置と同様であるため、ここでは詳細な説明を省略する。
【０１６７】
図３４を参照すると、端末３１０の制御装置３１３は、その機能として、表示制御部１２４と、照明条件決定部１２６と、照明駆動制御部１２７と、を有する。制御装置３１３は、第１の実施形態に係る制御装置１２３と同様の装置構成を有しており、制御装置３１３のプロセッサが所定のプログラムに従って演算処理を実行することにより、これらの機能が実現され得る。
【０１６８】
表示制御部１２４、照明条件決定部１２６及び照明駆動制御部１２７の機能は、図７に示す、第１の実施形態に係る、手動モードで動作される照明システム１における制御装置１２３のこれらの機能と略同様である。具体的には、表示制御部１２４は、表示装置１２２の動作を制御し、当該表示装置１２２に、仮想的な照明器具を配置する際のＧＵＩに係る表示画面を表示させる。この際、表示制御部１２４は、入力装置１２１を介したユーザの操作に応じて、当該表示画面上のＧＵＩ部品（アイコン等）の移動等の表示を併せて制御する。また、照明条件決定部１２６は、ユーザによって入力装置１２１を介して入力された仮想的な照明器具の配置についての情報に基づいて、その仮想的な照明器具の配置による照明光を実現するように、照明条件を決定する。また、照明駆動制御部１２７は、照明条件決定部１２６によって決定された照明条件に従って照明装置１１０を駆動させる。
【０１６９】
このように、照明システム３の機能構成は、照明システム１から、ＲＧＢカメラ１３０の機能及びＲＧＢカメラ１３０に関連する機能が取り除かれたものに対応する。換言すれば、照明システム３の機能構成は、図２３に示す、第２の実施形態に係る、手動モードで動作される照明システム２の機能構成から、鏡２２０の機能が取り除かれたものに対応する。
【０１７０】
なお、以上説明した、制御装置３１３によって実行される照明システム３の制御方法の処理手順は、図２４を参照して説明した、第２の実施形態における、制御装置２１３によって実行される照明システム２の制御方法の処理手順と同様であるため、ここではその詳細な説明を省略する。
【０１７１】
（４−３．自動モード）
次に、自動モードにおける照明システムの構成及び機能について説明する。
【０１７２】
（４−３−１．照明システムの構成）
図３５は、第３の実施形態に係る、自動モードで動作される照明システムの概略構成を示す図である。図３５を参照すると、第３の実施形態に係る、自動モードで動作される照明システム３ａは、照明装置１１０と、ＲＧＢカメラ１３０と、デプスカメラ１４０と、端末３１０ａと、を備える。このように、照明システム３ａは、図３０を参照して説明した、第３の実施形態に係る、手動モードで動作される照明システム３において、ＲＧＢカメラ１３０及びデプスカメラ１４０が更に設けられるとともに、端末３１０が端末３１０ａに変更されたものに対応する。なお、端末３１０ａの構成及び機能については、図３６を参照して後述する。
【０１７３】
ＲＧＢカメラ１３０及びデプスカメラ１４０の構成及び機能は、第１の実施形態におけるＲＧＢカメラ１３０及びデプスカメラ１４０とそれぞれ同様である。具体的には、ＲＧＢカメラ１３０は、照明装置１１０による照明光の照射範囲を撮影可能な位置に設置されており、照明装置１１０によって照明光が照射されている室内の物体（人及び物を含む）を撮影し、その画像データ（ＲＧＢデータ）を取得する。また、デプスカメラ１４０は、照明装置１１０による照明光の照射範囲を撮影可能な位置に設置されており、照明装置１１０によって照明光が照射されている室内の物体（人及び物を含む）を撮影し、そのデプスデータを取得する。ＲＧＢカメラ１３０によって取得された室内の物体のＲＧＢデータ、及びデプスカメラ１４０によって取得された室内の物体のデプスデータは、照明条件を自動的に決定する際に用いられる。
【０１７４】
（４−３−２．照明システムの機能構成）
図３６は、第３の実施形態に係る、自動モードで動作される照明システム３ａの機能構成の一例を示すブロック図である。
【０１７５】
図３６を参照すると、第３の実施形態に係る、自動モードで動作される照明システム３ａは、照明装置１１０と、端末３１０ａと、ＲＧＢカメラ１３０と、デプスカメラ１４０と、を備える。また、端末３１０ａは、入力装置１２１と、表示装置１２２と、制御装置３１３ａと、を有する。ここで、照明装置１１０、並びに端末３１０ａの入力装置１２１及び表示装置１２２の構成及び機能は、図３４に示す手動モードで動作される照明システム３におけるこれらの装置と同様であるため、ここではその詳細な説明を省略する。このように、照明システム３ａは、照明システム３において、ＲＧＢカメラ１３０及びデプスカメラ１４０が追加されるとともに、端末３１０の制御装置３１３が制御装置３１３ａに変更されたものに対応する。なお、制御装置３１３ａの装置構成は、制御装置３１３の装置構成と同様であり、制御装置３１３ａは、その機能が、制御装置３１３から変更されたものに対応する。
【０１７６】
図３６を参照すると、制御装置３１３ａは、その機能として、表示制御部１２４と、撮影制御部１２５と、照明条件決定部３１６ａと、照明駆動制御部１２７と、を有する。制御装置３１３ａのプロセッサが所定のプログラムに従って演算処理を実行することにより、これらの機能が実現され得る。ここで、表示制御部１２４、撮影制御部１２５、及び照明駆動制御部１２７の機能は、図９及び図１９を参照して説明した、第１の実施形態に係る、自動モードで動作される照明システム１ａ、１ｂにおけるこれらの機能と略同様である。ただし、第３の実施形態では、第２の実施形態と同様に、表示制御部１２４は、スルー画を表示する制御は行わない。また、第３の実施形態では、第２の実施形態と同様に、撮影制御部１２５は、ユーザの指示入力に応じた静止画の撮影の制御は行わない。
【０１７７】
自動モードにおいては、制御装置３１３ａに、部屋のレイアウトデータが入力される。ここで、部屋のレイアウトデータは、照明装置１１０が設置されている部屋の３Ｄモデルについてのデータである。当該３Ｄモデルには、部屋自体の形状（すなわち、部屋の壁及び床の形状）、及び部屋の中に配置されている家具の形状についての情報も含まれる。部屋のレイアウトデータは、例えばＳＬＡＭ（Simultaneous  Localization  and  Mapping）等の技術を用いて取得することができる。
【０１７８】
制御装置３１３ａの照明条件決定部３１６ａは、当該部屋のレイアウトデータに基づいて、自動的に照明条件を決定する。自動的に照明条件を決定する際の条件は、ユーザによって適宜設定されてよい。例えば、消費電力をできるだけ少なくする旨の条件が設定された場合には、照明条件決定部３１６ａは、部屋の中の３Ｄ形状を考慮して、できるだけ少ない数の仮想的な照明器具の配置で、室内を万遍なく照らすように、照明条件を決定する。また、例えば、室内の特定の場所のみを特に明るく照らす旨の条件が設定された場合には、照明条件決定部３１６ａは、部屋の中の３Ｄ形状を考慮して、その特定の場所が他の場所よりも明るく照らされるように、照明条件を決定する。自動的に照明条件を決定する際の条件としては、その他、あらゆる基準が設定されてよい。
【０１７９】
また、制御装置３１３ａには、撮影制御部１２５からの制御によってＲＧＢカメラ１３０及びデプスカメラ１４０が駆動されることによって取得された、部屋の中の物体のＲＧＢデータ及びデプスデータが入力されてもよく、照明条件決定部３１６ａは、部屋のレイアウトデータに加えて、又は部屋のレイアウトデータの代わりに、これら部屋の中の物体のＲＧＢデータ及びデプスデータに基づいて、自動的に照明条件を決定することもできる。なお、このようにＲＧＢデータ及びデプスデータが用いられる場合には、部屋のレイアウトデータは、事前に取得されるのではなく、これらＲＧＢデータ及びデプスデータに基づいて動的に作成、取得されてもよい。
【０１８０】
具体的には、照明条件決定部３１６ａは、部屋の中の物体のＲＧＢデータ及びデプスデータを用いて、画像解析処理を行うことにより、部屋の中の物体の種類及び動き等を判別する機能を有し得る。照明条件決定部３１６ａは、この画像解析結果を用いて、自動的に照明条件を決定することができる。この場合における、自動的に照明条件を決定する際の条件も、ユーザによって適宜設定されてよい。なお、当該画像解析処理の手法としては、各種の公知のものが用いられてよいため、ここではその詳細を省略する。
【０１８１】
例えば、照明条件決定部３１６ａは、画像解析結果に基づいて、部屋の中の状況を推測する。具体的には、照明条件決定部３１６ａは、画像解析結果に基づいて、部屋の中で人がいる場所、部屋の中の人の行動（食事中、仕事中、又は就寝中等）、及び部屋の中で行われている行為（大人数でホームパーティを開いている等）等を、部屋の中の状況として推測することができる。そして、照明条件決定部３１６ａは、その推測結果に応じて照明条件を決定する。この場合、照明条件決定部３１６ａは、推測結果に応じて、例えば以下のような照明効果が得られるように照明条件を決定する。
【０１８２】
・部屋の中で人がいる場所を推測した場合、人がいる場所をより明るくし、人がいない場所をより暗くする。
・人が就寝中であることを推測した場合、当該就寝中の人の周りだけをより暗くし、その他の場所はより明るくする。
・人が食事中であることを推測した場合、料理が美味しく見えるように、当該料理が載せられている皿の周りをより明るくする。
・書類等が机の上に置かれ、人が仕事中であることを推測した場合、当該書類等が置かれている机の上を特に明るくする。
・大人数でホームパーティが開催されていることを推測した場合、華やかな照明効果を実現する。
【０１８３】
照明駆動制御部１２７が、照明条件決定部３１６ａによって決定された照明条件に従って照明装置１１０を駆動させることにより、部屋の中の状況に応じた適切な照明が自動的に実現される。なお、第１の実施形態と同様に、照明条件決定部３１６ａによって照明条件が自動的に決定された後に、ユーザによる入力装置１２１を介した指示入力、及び／又はジェスチャ等による指示入力によって、照明条件が調整されてもよい。
【０１８４】
一例として、照明条件決定部３１６ａが、部屋のレイアウトデータ、並びに部屋の中の物体のＲＧＢデータ及びデプスデータに基づいて照明条件を決定する場合における、照明システム３ａの動作について、図３７−図４０を参照して改めて説明する。図３７−図４０は、以上説明した、部屋のレイアウトデータ、並びに部屋の中の物体のＲＧＢデータ及びデプスデータに基づいて照明条件を決定する際の照明システム３ａの動作について説明するための図である。
【０１８５】
照明システム３ａでは、部屋のレイアウトデータが端末３１０ａの制御装置３１３ａに入力される（図３７）。また、制御装置３１３ａには、部屋の中の物体のＲＧＢデータ及びデプスデータが、別途入力されており、制御装置３１３ａの照明条件決定部３１６ａは、部屋のレイアウトデータ、並びにＲＧＢデータ及びデプスデータに基づく画像解析結果に基づいて、部屋の中の状況を推測する（図３８）。図３８に示す例では、照明条件決定部３１６ａは、机の上に料理５１７が置かれていることを解析し、部屋の中のユーザが食事中であることを推測している。
【０１８６】
照明条件決定部３１６ａは、この推測結果に基づいて、例えば机の上の料理５１７が美味しく見えるような照明効果を実現するように、照明条件５１９を決定する（図３９）（図３９では、照明条件５１９として、便宜的に、その照明条件５１９に係る仮想的な照明器具の配置を図示している）。そして、照明駆動制御部１２７が、この照明条件決定部３１６ａによって決定された照明条件に従って照明装置１１０を駆動させる（図４０）。これにより、ユーザ５０１に、料理５１７に対する食欲を喚起し得るような照明効果が実現され得る。
【０１８７】
（４−３−３．照明システムの制御方法の処理手順）
以上説明した、制御装置３１３ａによって実行される照明システム３ａの制御方法の処理手順について説明する。図４１は、第３の実施形態に係る照明システム３ａの自動モード時における制御方法の処理手順の一例を示すフロー図である。なお、図４１に示す各処理は、図３６に示す制御装置３１３ａによって実行される各処理に対応している。制御装置３１３ａを構成するプロセッサが所定のプログラムに従って動作することにより、図４１に示す各処理が実行される。図４１に示す各処理の詳細については、制御装置３１３ａの機能について説明する際に既に上述しているため、以下の図４１に示す各処理についての説明では、これら各処理の概要を述べるに留め、その詳細な説明は省略する。
【０１８８】
図４１を参照すると、第３の実施形態に係る照明システム３ａの自動モード時における制御方法では、まず、部屋のレイアウトデータが取得される（ステップＳ５０１）。ステップＳ５０１における処理は、図３６に示す照明条件決定部３１６ａによって、部屋のレイアウトデータが取得される処理に対応している。上述したように、当該レイアウトデータは、ＳＬＡＭ等の技術を用いて事前に取得されてもよいし、部屋の中の物体についてのＲＧＢデータ及びデプスデータに基づいて動的に取得されてもよい。なお、レイアウトデータが、ＲＧＢデータ及びデプスデータに基づいて取得される場合には、ステップＳ５０１における処理は、後述するステップＳ５０３における処理の後に実行され得る。
【０１８９】
次に、ＲＧＢカメラ１３０及びデプスカメラ１４０による撮影が実行され、部屋の中の物体についてのＲＧＢデータ及びデプスデータが取得される（ステップＳ５０３）。ステップＳ５０３における処理は、図３６に示す照明条件決定部３１６ａによって、ＲＧＢカメラ１３０及びデプスカメラ１４０から送信される、部屋の中の物体についてのＲＧＢデータ及びデプスデータが取得される処理に対応している。
【０１９０】
次に、部屋のレイアウトデータ、並びに部屋の中の物体についてのＲＧＢデータ及びデプスデータに基づいて、画像解析処理により、部屋の中の状況が推測される（ステップＳ５０５）。ステップＳ５０５における処理は、図３６に示す照明条件決定部３１６ａが実行する処理に対応している。
【０１９１】
次に、推測した部屋の中の状況に基づいて、適切な照明条件が決定される（ステップＳ５０７）。ステップＳ５０７における処理は、図３６に示す照明条件決定部３１６ａが実行する処理に対応している。
【０１９２】
次に、決定された照明条件に従って照明装置１１０が駆動される（ステップＳ５０９）。ステップＳ５０９における処理は、図３６に示す照明駆動制御部１２７が実行する処理に対応している。
【０１９３】
次に、照明条件に対する指示入力（入力装置１２１を介したユーザからの指示入力）があるかどうかが判定される（ステップＳ５１１）。ステップＳ５１１における処理は、図３６に示す照明条件決定部３１６ａが実行する処理に対応している。
【０１９４】
ステップＳ５１１において照明条件に対する指示入力がある場合には、ステップＳ５１３に進む。ステップＳ５１３では、当該指示入力に従って、照明条件が変更される。そして、その変更された照明条件に従って照明装置１１０が駆動される（ステップＳ５１５）。その後、ステップＳ５１１に戻り、当該ステップＳ５１１以降の処理が再度実行される。ステップＳ５１３における処理は、図３６に示す照明条件決定部３１６ａが実行する処理に対応している。また、ステップＳ５１５における処理は、図３６に示す照明駆動制御部１２７が実行する処理に対応している。
【０１９５】
一方、ステップＳ５１１において照明条件に対する指示入力がない場合には、一連の処理を終了する。
【０１９６】
（４−３−４．照明システムの他の動作の例）
以上説明した構成例では、照明システム３ａにおいては、部屋のレイアウトデータに基づいて、又は部屋のレイアウトデータ、並びに部屋の中の物体のＲＧＢデータ及びデプスデータに基づいて、照明条件が決定されていた。ただし、第３の実施形態はかかる例に限定されず、第３の実施形態では、照明システム３ａにおいて、部屋の中でユーザが視聴しているコンテンツに基づいて、照明条件が決定されてもよい。
【０１９７】
図４２及び図４３は、このような、ユーザが視聴しているコンテンツに基づいて照明条件が決定される場合における、照明システム３ａの動作について説明するための図である。本構成例では、例えば図４２に示すように、ユーザ５０１が、室内に設置されたテレビ５２１によってコンテンツを視聴していることを想定している。図示する例ではテレビ５２１を用いているが、ユーザ５０１がコンテンツを視聴するための装置は、例えばプロジェクター等、他の表示装置であってもよい。また、コンテンツは、テレビ番組や映画等の映像コンテンツであってもよいし、テレビゲームであってもよい。
【０１９８】
この状態で、図４３に示すように、制御装置３１３ａの照明条件決定部３１６ａが、そのユーザ５０１が視聴しているコンテンツに基づいて、当該コンテンツに適した照明効果が得られるように、照明条件を決定する。照明駆動制御部１２７が、決定された照明条件に従って照明装置１１０を駆動させることにより、コンテンツに適合した照明効果が得られることとなる。これにより、ユーザ５０１は、より没入感を得ながら当該コンテンツを楽しむことが可能となる。
【０１９９】
なお、このようにコンテンツに基づいて照明条件が決定される場合には、部屋の中の物体についてのＲＧＢデータ及びデプスデータは、その照明条件の決定に用いられなくてもよいため、照明システム３ａにおいて、ＲＧＢカメラ１３０及びデプスカメラ１４０は設けられなくてもよい。
【０２００】
図４４を参照して、以上説明した、ユーザが視聴しているコンテンツに基づいて照明条件が決定される場合において、制御装置３１３ａによって実行される照明システム３ａの制御方法の処理手順について、より詳細に説明する。図４４は、ユーザが視聴しているコンテンツに基づいて照明条件が決定される場合において、制御装置３１３ａによって実行される照明システム３ａの制御方法の処理手順の一例を示すフロー図である。なお、図４４に示す各処理は、図３６に示す制御装置３１３ａによって実行される各処理に対応している。制御装置３１３ａを構成するプロセッサが所定のプログラムに従って動作することにより、図４４に示す各処理が実行される。図４４に示す各処理の詳細について、制御装置３１３ａの機能について説明する際に既に上述しているものについては、その処理の概要を述べるに留め、その詳細な説明は省略する。
【０２０１】
図４４を参照すると、ユーザが視聴しているコンテンツに基づいて照明条件が決定される場合における照明システム３ａの制御方法では、まず、ユーザが視聴しているコンテンツのメタデータが取得できるかどうかが判定される（ステップＳ６０１）。ここで、コンテンツのメタデータは、当該コンテンツの制作会社や配信会社等が作成したものであってよく、当該メタデータには、コンテンツの概要（例えば、映画がであれば映画のジャンル等）についての情報や、コンテンツ内の時間ごとのシーンについての情報等が含まれる。コンテンツのメタデータが取得できるか否かは、当該メタデータが存在しているか、及び当該メタデータを作成した業者等によって当該メタデータが配信されているかどうか等に基づいて判定され得る。ステップＳ６０１における処理は、図３６に示す照明条件決定部３１６ａが実行する処理に対応している。
【０２０２】
ステップＳ６０１においてコンテンツのメタデータが取得できると判定された場合には、当該コンテンツのメタデータが取得される（ステップＳ６０３）。ステップＳ６０３における処理は、図３６に示す照明条件決定部３１６ａが実行する処理に対応している。
【０２０３】
一方、ステップＳ６０１においてコンテンツのメタデータが取得できないと判定された場合には、ステップＳ６０５に進む。ステップＳ６０５では、ユーザが視聴しているコンテンツの映像が解析される。当該解析処理では、映像に基づいて、現在のシーンの内容や、ひいてはコンテンツの概要等が推測される。ステップＳ６０５における処理は、図３６に示す照明条件決定部３１６ａが実行する処理に対応している。なお、当該映像解析処理の具体的な方法としては、各種の公知の方法が用いられてよいため、ここではその詳細な説明を省略する。
【０２０４】
ステップＳ６０３又はステップＳ６０５に示す処理が終了したら、次に、ステップＳ６０７に進む。ステップＳ６０７では、取得されたメタデータ又は映像の解析結果に基づいて、そのコンテンツに応じた適切な照明条件が決定される。例えば、コンテンツがホラー映画であれば、比較的暗い照明効果が得られるような照明条件が決定される。また、例えば、コンテンツが恋愛映画であれば、ロマンティックな照明効果が得られるような照明条件が決定される。ステップＳ６０７における処理は、図３６に示す照明条件決定部３１６ａが実行する処理に対応している。
【０２０５】
次に、その決定された照明条件に従って照明装置１１０が駆動される（ステップＳ６０９）。ステップＳ６０９における処理は、図３６に示す照明駆動制御部１２７が実行する処理に対応している。
【０２０６】
次に、照明条件に対する指示入力（入力装置１２１を介したユーザからの指示入力）があるかどうかが判定される（ステップＳ６１１）。ステップＳ６１１における処理は、図３６に示す照明条件決定部３１６ａが実行する処理に対応している。
【０２０７】
ステップＳ６１１において照明条件に対する指示入力がある場合には、ステップＳ６１３に進む。ステップＳ６１３では、当該指示入力に従って、照明条件が変更される。そして、その変更された照明条件に従って照明装置１１０が駆動される（ステップＳ６１５）。その後、ステップＳ６１１に戻り、当該ステップＳ６１１以降の処理が再度実行される。ステップＳ６１３における処理は、図３６に示す照明条件決定部３１６ａが実行する処理に対応している。また、ステップＳ６１５における処理は、図３６に示す照明駆動制御部１２７が実行する処理に対応している。
【０２０８】
一方、ステップＳ６１１において照明条件に対する指示入力がない場合には、一連の処理を終了する。
【０２０９】
（４−４．第３の実施形態のまとめ）
以上、本開示の第３の実施形態について説明した。以上説明したように、第３の実施形態では、部屋の照明装置として照明装置１１０を用いる、照明システム３、３ａが構築される。照明装置１１０では、１台の装置によって多様な光源を再現することができ、様々な照明効果を実現することができるため、照明装置を交換する等の大掛かりな作業を行うことなく、部屋の中の状況に応じた照明光を得ることができる。従って、ユーザの利便性を向上させることができる。
【０２１０】
また、第３の実施形態では、照明条件の決定方法として、手動モード及び自動モードのいずれかが適宜選択可能である。手動モードでは、ユーザが自由に照明条件を決定することができるため、より自由度の高い照明装置１１０の駆動制御が可能になる。また、自動モードでは、所定の情報（具体的には、部屋のレイアウトデータ、又は部屋の中でユーザが視聴しているコンテンツについての情報）に基づいて、照明条件が自動的に決定される。例えば、部屋のレイアウトデータ、並びに部屋の中の物体のＲＧＢデータ及びデプスデータに基づいて部屋の中の状況が推測され、その部屋の中の状況に適した照明光を実現するような照明条件が自動的に決定される。あるいは、コンテンツの現在表示されているシーンに応じて、そのシーンに適した照明光を実現するような照明条件が自動的に決定される。従って、ユーザが煩雑な操作を行うことなく、適切な照明光が実現され得るように照明装置１１０を駆動させることが可能となる。このように、手動モード及び自動モードを適宜選択することにより、部屋の照明として照明装置１１０を用いる際におけるユーザの利便性を更に向上させることができる。
【０２１１】
（５．第４の実施形態）
（５−１．第４の実施形態の概要）
本開示の第４の実施形態について説明する。第４の実施形態では、照明装置１１０を、情報をユーザに通知するための通知デバイスとして用いる。
【０２１２】
第４の実施形態では、例えば、ユーザが所有している情報処理装置（スマートフォン、ＰＣ等）と連携し、当該情報処理装置が所定の情報を受信した際に、所定の照明光を発するように、照明装置１１０が駆動される。上述したように、照明装置１１０によれば、１台の装置において詳細な照明光の制御が可能となるため、受信した情報の種類に応じて各種の照明効果が顕現されることにより、ユーザは、視覚を通じてより直感的に、当該情報を受信したことを把握することが可能となる。
【０２１３】
（５−２．照明システムの構成）
図４５は、第４の実施形態に係る照明システムの概略構成を示す図である。図４５を参照すると、第３の実施形態に係る照明システム４は、照明装置１１０と、端末４１０と、を備える。図示する例では、第３の実施形態と同様に、ユーザの部屋の天井に、その照射方向が下向きになるように、照明装置１１０が設置されている。ただし、第４の実施形態はかかる例に限定されず、通知デバイスとして機能し得るように、ユーザによってその照明光が視認され得る位置であれば、照明装置１１０の設置位置は任意であってよい。なお、照明装置１１０の構成及び機能は、第１の実施形態における照明装置１１０と同様であるため、ここではその詳細な説明を省略する。
【０２１４】
端末４１０は、照明システム４の動作を統合的に管理する情報処理装置である。図４５では簡略化して図示しているが、端末４１０は、少なくとも、入力装置、表示装置及び制御装置を有する。ここで、端末４１０の構成は、制御装置の機能が異なる点以外は、図４及び図７を参照して上述した第１の実施形態に係る端末１２０と同様である。従って、ここでは、端末４１０について、端末１２０と同一の事項についてはその詳細な説明を省略する。なお、端末４１０の制御装置の機能については、図４７を参照して後述する。
【０２１５】
（５−３．情報通知時の照明システムの動作の概要）
図４６を参照して、情報通知時の照明システム４の動作の概要について説明する。図４６は、情報通知時の照明システム４の動作の概要について説明するための図である。
【０２１６】
照明システム４では、ユーザは、通知の対象となる情報（通知対象情報）と、当該通知対象情報を通知する際の照明効果と、の組み合わせを、予め端末４１０の制御装置に設定することができる。通知対象情報は、例えばメールの受信、電話の着信、天気、株価等、各種の情報であってよい。また、照明効果としては、例えば、所定の色の照明光を発する、照明光を点滅させる、照明光を揺らがせる等、各種の照明効果が設定されてよい。例えば、端末４１０の表示装置に、当該組み合わせを設定するための設定画面が表示され得る。ユーザは、当該設定画面を介して、かかる設定操作を行うことができる。
【０２１７】
当該組み合わせが設定された状態で、例えば端末４１０においてメールが受信されたとする（図４６左図）。すると、端末４１０の制御装置が、照明装置１１０の照明条件として、予め登録されている組み合わせに応じて、メールを受信した際の照明効果を実現するような照明条件５２３を自動的に決定する（図４６中図）（図４６では、照明条件５２３として、便宜的に、その照明条件５２３に係る仮想的な照明器具の配置を図示している）。そして、端末４１０の制御装置が、その決定した照明条件に従って照明装置１１０を駆動させる（図４６右図）。照明装置１１０の照明光により、ユーザ５０１は、メールを受信したことを把握することができる。
【０２１８】
（５−４．照明システムの機能構成）
以上説明した動作を実現する、照明システム４の機能構成について説明する。図４７は、第４の実施形態に係る照明システム４の機能構成の一例を示すブロック図である。
【０２１９】
上述したように、第４の実施形態に係る照明システム４は、照明装置１１０と、端末４１０と、を備える。また、端末４１０は、入力装置１２１と、表示装置１２２と、制御装置２１３と、を有する。ここで、照明装置１１０、並びに端末４１０の入力装置１２１及び表示装置１２２の構成及び機能は、上述した、第１の実施形態に係る、手動モードで動作される照明システム１におけるこれらの装置と同様であるため、ここでは詳細な説明を省略する。
【０２２０】
図４７を参照すると、端末４１０の制御装置４１３は、その機能として、表示制御部４１４と、設定部４１５と、照明条件決定部４１６と、照明駆動制御部１２７と、を有する。制御装置４１３は、第１の実施形態に係る制御装置１２３と同様の装置構成を有しており、制御装置４１３のプロセッサが所定のプログラムに従って演算処理を実行することにより、これらの機能が実現され得る。なお、照明駆動制御部１２７の機能は、図７に示す、第１の実施形態に係る、手動モードで動作される照明システム１における制御装置１２３の当該機能と略同様である。
【０２２１】
表示制御部４１４は、表示装置１２２の動作を制御し、当該表示装置１２２に各種の情報を表示させる。具体的には、表示制御部４１４は、表示装置１２２に、通知対象情報と照明効果との組み合わせを設定するための設定画面を表示させる。この際、通知対象情報と照明効果との組み合わせを設定するためのＧＵＩが提供されてもよく、この場合には、表示制御部４１４は、入力装置１２１を介したユーザの操作に応じて、上記設定画面上のＧＵＩ部品（アイコン等）の移動等の表示を併せて制御する。ユーザは、表示装置１２２の当該設定画面を参照しながら、入力装置１２１を介して通知対象情報と照明効果との組み合わせを入力することができる。
【０２２２】
設定部４１５は、入力装置１２１を介したユーザからの指示入力に基づいて、通知対象情報と照明効果との組み合わせを設定する。設定部４１５は、設定した通知対象情報と照明効果との組み合わせについての情報を、照明条件決定部４１６に提供する。
【０２２３】
なお、設定される通知対象情報と照明効果との組み合わせとしては、例えば以下のようなものが想定され得る。
【０２２４】
（通知対象情報）
メールの受信
（照明効果）
照明光が揺らぐ。
【０２２５】
（通知対象情報）
外気温の上昇
（照明効果）
赤色の照明光を照射する。
【０２２６】
（通知対象情報）
外気温の低下
（照明効果）
青色の照明光を照射する。
【０２２７】
（通知対象情報）
天候が晴れ
（照明効果）
１つの大きな光源で部屋を照らす。
【０２２８】
（通知対象情報）
天候が雨
（照明効果）
照明装置１１０の照射面全体でぼんやりと部屋を照らす。
【０２２９】
照明システム４では、端末４１０において通知対象情報が受信されると、当該通知対象情報が照明条件決定部４１６に提供される。照明条件決定部４１６は、設定部４１５によって設定された通知対象情報と照明効果との組み合わせに基づいて、取得した通知対象情報に応じた照明効果を実現するように、照明装置１１０の照明条件を自動的に決定する。照明駆動制御部１２７は、この照明条件決定部４１６によって決定された照明条件に従って照明装置１１０を駆動させる。
【０２３０】
（５−５．照明システムの制御方法の処理手順）
以上説明した、制御装置４１３によって実行される、照明システム４の制御方法の処理手順について説明する。図４８は、第４の実施形態に係る照明システム４の制御方法の処理手順の一例を示すフロー図である。なお、図４８に示す各処理は、図４７に示す制御装置４１３によって実行される各処理に対応している。制御装置４１３を構成するプロセッサが所定のプログラムに従って動作することにより、図４８に示す各処理が実行される。図４８に示す各処理の詳細については、制御装置４１３の機能について説明する際に既に上述しているため、以下の図４８に示す各処理についての説明では、これら各処理の概要を述べるに留め、その詳細な説明は省略する。
【０２３１】
図４８を参照すると、第４の実施形態に係る照明システム４の制御方法では、まず、入力装置１２１を介したユーザからの指示入力に応じて、通知対象情報と照明効果との組み合わせが設定される（ステップＳ７０１）。ステップＳ７０１における処理は、図４７に示す設定部４１５が実行する処理に対応している。
【０２３２】
次に、通知対象情報が取得される（ステップＳ７０３）。ステップＳ７０３における処理は、図４７に示す照明条件決定部４１６によって通知対象情報が取得される処理に対応している。
【０２３３】
次に、設定された通知対象情報と照明効果との組み合わせに基づいて、取得された通知対象情報に応じた照明効果を実現するような照明条件が決定される（ステップＳ７０５）。ステップＳ７０５における処理は、図４７に示す照明条件決定部４１６が実行する処理に対応している。
【０２３４】
次に、決定された照明条件に従って照明装置１１０が駆動される（ステップＳ７０７）。ステップＳ７０７における処理は、図４７に示す照明駆動制御部１２７が実行する処理に対応している。
【０２３５】
（５−６．第４の実施形態のまとめ）
以上、本開示の第４の実施形態について説明した。以上説明したように、第４の実施形態では、情報の通知デバイスとして照明装置１１０を用いる、照明システム４が構築される。照明システム４では、所定の情報（すなわち、通知対象情報）が配信された際に、その通知対象情報を通知するように、照明装置１１０が駆動される。この際、照明装置１１０では、１台の装置によって多様な光源を再現することができ、様々な照明効果を実現することができるため、通知対象情報の種類や内容に応じてその照明効果を適宜切り替えることができる。これにより、ユーザに、視覚的に、かつ直感的に、当該通知対象情報が配信されたこと、及び当該通知対象情報の内容を通知することが可能となる。このように、照明システム４によれば、ユーザは、わざわざ端末４１０にアクセスして当該通知対象情報に直接アクセスしなくても、当該通知対象情報の概要等を知ることができる。従って、ユーザの利便性を向上させることができる。
【０２３６】
（６．補足）
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２３７】
例えば、上述した照明システム１、１ａ、１ｂ、２、２ａ、２ｂ、３、３ａ、４の構成は、あくまで一例であり、照明システム１、１ａ、１ｂ、２、２ａ、２ｂ、３、３ａ、４は、以上説明した機能と同様の機能を有するように構成されればよく、その具体的な装置構成は任意に変更されてよい。
【０２３８】
例えば、上述した照明システム１ｂ、２ｂ、３ａは、デプスカメラ１４０を備えていたが、照明システム１ｂ、２ｂ、３ａの構成はかかる例に限定されない。デプスカメラ１４０に代えて、対象となる物体までの距離情報を取得可能なデバイスを備えている場合であっても、同様の照明システム１ｂ、２ｂ、３ａを構成することが可能である。当該デバイスとしては、例えば測距センサ等、各種の公知のものが適用されてよい。
【０２３９】
また、例えば、上述した照明システム１、１ａ、１ｂ、２ａ、２ｂ、３ａは、ＲＧＢカメラ１３０を備えていたが、照明システム１、１ａ、１ｂ、２ａ、２ｂ、３ａの構成はかかる例に限定されない。照明システム１、１ａ、１ｂ、２ａ、２ｂ、３ａは、カラー撮影可能な、すなわち対象についての色画像データを取得可能なカメラを備えればよく、かかるカメラは、ＲＧＢカメラ１３０以外の他のカメラであってもよい。つまり、色画像データにおける色情報の形式は、ＲＧＢ形式でなくてもよい。色情報の形式としては、例えばＹＣｂＣｒ形式やＹＵＶ形式等、各種の公知の形式が用いられてよい。また、照明システム１、１ａ、１ｂ、２ａ、２ｂ、３ａは、採用された色情報の形式に応じた色画像データを取得可能な各種のカメラを備えることができる。例えば、照明システム１、１ａ、１ｂ、２ａ、２ｂ、３ａは、ＲＧＢカメラ１３０に代えて、ＹＣｂＣｒ形式で色情報が付加された色画像データを取得可能なカメラ、又はＹＵＶ形式で色情報が付加された色画像データを取得可能なカメラ等を備えることができる。
【０２４０】
また、例えば、制御装置１２３、１２３ａ、１２３ｂ、２１３、２１３ａ、２１３ｂ、３１３、３１３ａ、４１３は、端末１２０、１２０ａ、１２０ｂ、２１０、２１０ａ、２１０ｂ、３１０、３１０ａ、４１０の内部に設けられなくてもよく、別個の装置として設けられてもよい。また、制御装置１２３、１２３ａ、１２３ｂ、２１３、２１３ａ、２１３ｂ、３１３、３１３ａ、４１３は、必ずしも１つの装置でなくてもよく、複数の装置の協働によって実現されてもよい。この場合には、制御装置１２３、１２３ａ、１２３ｂ、２１３、２１３ａ、２１３ｂ、３１３、３１３ａ、４１３の各機能が、これらの機能を実現するための演算処理が可能なプロセッサを有する複数の装置に分散して搭載され、これら複数の装置が所定のプログラムに従って互いに各種の情報をやり取りしながら演算処理を実行することにより、全体として、制御装置１２３、１２３ａ、１２３ｂ、２１３、２１３ａ、２１３ｂ、３１３、３１３ａ、４１３としての機能が実現され得る。
【０２４１】
また、以上説明した制御装置１２３、１２３ａ、１２３ｂ、２１３、２１３ａ、２１３ｂ、３１３、３１３ａ、４１３の各機能を実現するためのコンピュータプログラムを作製し、ＰＣ等の情報処理装置に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリ等である。また、上記のコンピュータプログラムは、記録媒体を用いずに、例えばネットワークを介して配信されてもよい。
【０２４２】
また、以上説明した第１〜第４の実施形態における各構成は、互いに可能な範囲で組み合わされてもよい。例えば、第２の実施形態に係る照明システム２ａ、２ｂは、第１の実施形態に係る照明システム１ａ、１ｂに対して、鏡２２０が更に設けられたものであるから、これら照明システム２ａ、２ｂは、照明システム１ａ、１ｂの機能を兼ね得るものであると言える。従って、これら照明システム２ａ、２ｂが、第１の実施形態のように写真撮影用の照明システムとして用いられてもよい。また、例えば、第３の実施形態に係る照明システム３と、第４の実施形態に係る照明システム４は、いずれも、天井に設置される照明装置１１０と、端末３１０、４１０と、を備えるものであり、略同様の装置構成を有する。従って、かかる装置構成を有する、照明システム３の機能と照明システム４の機能を兼ね備えた照明システムが提供されてもよい。
【０２４３】
また、本明細書に記載された効果は、あくまで説明的又は例示的なものであって限定的なものではない。つまり、本開示に係る技術は、上記の効果とともに、又は上記の効果に代えて、本明細書の記載から当業者には明らかな他の効果を奏し得る。
【０２４４】
なお、以下のような構成も本開示の技術的範囲に属する。
（１）
面状に並べられた複数の光出射点を有し前記光出射点の各々からの出射光がそれぞれ制御されることにより照明光を照射する照明装置について、前記光出射点の各々からの出射光を制御する条件である照明条件を決定する照明条件決定部、
を備え、
前記照明条件決定部は、所定の情報に基づいて前記照明条件を自動的に決定する、
制御装置。
（２）
前記照明条件に従って前記照明装置の前記光出射点の各々からの出射光を制御することにより、前記照明装置から照射される照明光を制御する照明駆動制御部、
を更に備える、
前記（１）に記載の制御装置。
（３）
前記照明装置は、写真撮影時における照明装置として用いられ、
前記所定の情報は、前記照明装置を用いて過去に撮影が行われた際の前記照明条件及び被写体の色情報を含む画像データである色画像データを少なくとも含む過去の撮影データ、又は、過去に取得された任意の写真データである、
前記（１）又は（２）に記載の制御装置。
（４）
前記照明条件決定部は、過去の前記撮影データに含まれる過去の前記照明条件を、現在の照明条件として決定する、
前記（３）に記載の制御装置。
（５）
前記照明条件決定部は、現在取得されている被写体の前記色画像データと、過去の前記撮影データに含まれる過去の被写体の前記色画像データと、を比較することにより、過去の被写体の前記色画像データが再現されるように、現在の照明条件を決定する、
前記（４）に記載の制御装置。
（６）
過去の前記撮影データには、過去の撮影時における被写体のデプスデータ、が更に含まれ、
前記照明条件決定部は、現在取得されている被写体のデプスデータと、過去の前記撮影データに含まれる過去の被写体のデプスデータと、を更に用いて、過去の被写体の前記色画像データが再現されるように、現在の照明条件を決定する、
前記（５）に記載の制御装置。
（７）
前記照明条件決定部は、現在取得されている被写体の前記色画像データと、過去の前記写真データの被写体の前記色画像データと、を比較することにより、過去の被写体の前記色画像データが再現されるように、現在の照明条件を決定する、
前記（３）に記載の制御装置。
（８）
前記照明条件決定部は、現在取得されている被写体のデプスデータを更に用いて、過去の被写体の前記色画像データが再現されるように、現在の照明条件を決定する、
前記（７）に記載の制御装置。
（９）
前記照明装置は、ユーザが鏡で自身を確認する際における照明装置として用いられ、
前記所定の情報は、過去に前記照明装置が鏡の照明として使用された際の、前記照明条件及び前記ユーザの色情報を含む画像データである色画像データを少なくとも含む過去の撮影データ、又は、過去に取得された任意の写真データである、
前記（１）又は（２）に記載の制御装置。
（１０）
前記照明条件決定部は、過去の前記撮影データに含まれる過去の前記照明条件を、現在の照明条件として決定する、
前記（９）に記載の制御装置。
（１１）
前記照明条件決定部は、現在取得されているユーザの前記色画像データと、過去の前記撮影データに含まれる過去のユーザの前記色画像データと、を比較することにより、過去のユーザの前記色画像データが再現されるように、現在の照明条件を決定する、
前記（１０）に記載の制御装置。
（１２）
過去の前記撮影データには、過去に前記照明装置が鏡の照明として使用された際のユーザのデプスデータ、が更に含まれ、
前記照明条件決定部は、現在取得されているユーザのデプスデータと、過去の前記撮影データに含まれる過去のユーザのデプスデータと、を更に用いて、過去のユーザの前記色画像データが再現されるように、現在の照明条件を決定する、
前記（１１）に記載の制御装置。
（１３）
前記照明条件決定部は、現在取得されているユーザの前記色画像データと、過去の前記写真データの被写体の前記色画像データと、を比較することにより、過去の被写体の前記色画像データが再現されるように、現在の照明条件を決定する、
前記（９）に記載の制御装置。
（１４）
前記照明条件決定部は、現在取得されているユーザのデプスデータを更に用いて、過去の被写体の前記色画像データが再現されるように、現在の照明条件を決定する、
前記（１３）に記載の制御装置。
（１５）
前記照明装置は、部屋の照明装置として用いられ、
前記所定の情報は、前記部屋のレイアウトデータ、又は前記部屋の中でユーザが視聴しているコンテンツについての情報である、
前記（１）又は（２）に記載の制御装置。
（１６）
前記照明条件決定部は、前記部屋のレイアウトデータ、並びに前記部屋の中の物体の色情報を含む画像データである色画像データ及びデプスデータに基づいて前記部屋の中の状況を推測し、その推測結果に基づいて所望の照明効果が得られるように、前記照明条件を決定する、
前記（１５）に記載の制御装置。
（１７）
前記照明装置は、ユーザに対して通知される対象となる情報である通知対象情報を前記ユーザに通知するための通知デバイスとして用いられ、
前記所定の情報は、前記通知対象情報である、
前記（１）又は（２）に記載の制御装置。
（１８）
前記照明装置は、バックライトと、液晶パネルと、レンチキュラーシートと、が積層された構成を有する、
前記（１）〜（１７）のいずれか１項に記載の制御装置。
（１９）
面状に並べられた複数の光出射点を有し前記光出射点の各々からの出射光がそれぞれ制御されることにより照明光を照射する照明装置について、プロセッサが、前記光出射点の各々からの出射光を制御する条件である照明条件を決定すること、
を含み、
前記照明条件を決定する際には、所定の情報に基づいて前記照明条件が自動的に決定される、
制御方法。
（２０）
面状に並べられた複数の光出射点を有し前記光出射点の各々からの出射光がそれぞれ制御されることにより照明光を照射する照明装置と、
前記照明装置の前記光出射点の各々からの出射光を制御する条件である照明条件を決定する制御装置と、
を備え、
前記制御装置は、所定の情報に基づいて前記照明条件を自動的に決定する、
照明システム。
【符号の説明】
【０２４５】
１、１ａ、１ｂ、２、２ａ、２ｂ、３、３ａ、４    照明システム
１１０    照明装置
１１１    バックライト
１１２    液晶パネル
１１２ａ    画素
１１３    レンチキュラーシート
１１３ａ    レンズ
１２０、１２０ａ、１２０ｂ、２１０、２１０ａ、２１０ｂ、３１０、３１０ａ、４１０    端末
１２１    入力装置
１２２    表示装置
１２３、１２３ａ、１２３ｂ、２１３、２１３ａ、２１３ｂ、３１３、３１３ａ、４１３    制御装置
１２４、４１４    表示制御部
１２５    撮影制御部
１２６、１２６ａ、１２６ｂ、３１６ａ、４１６    照明条件決定部
１２７    照明駆動制御部
１３０    ＲＧＢカメラ
１４０    デプスカメラ
２２０    鏡
４１５    設定部
【図１】
2018142771.tif 000003
【図２】
2018142771.tif 000004
【図３】
2018142771.tif 000005
【図４】
2018142771.tif 000006
【図５】
2018142771.tif 000007
【図６】
2018142771.tif 000008
【図７】
2018142771.tif 000009
【図８】
2018142771.tif 000010
【図９】
2018142771.tif 000011
【図１０】
2018142771.tif 000012
【図１１】
2018142771.tif 000013
【図１２】
2018142771.tif 000014
【図１３】
2018142771.tif 000015
【図１４】
2018142771.tif 000016
【図１５】
2018142771.tif 000017
【図１６】
2018142771.tif 000018
【図１７】
2018142771.tif 000019
【図１８】
2018142771.tif 000020
【図１９】
2018142771.tif 000021
【図２０】
2018142771.tif 000022
【図２１】
2018142771.tif 000023
【図２２】
2018142771.tif 000024
【図２３】
2018142771.tif 000025
【図２４】
2018142771.tif 000026
【図２５】
2018142771.tif 000027
【図２６】
2018142771.tif 000028
【図２７】
2018142771.tif 000029
【図２８】
2018142771.tif 000030
【図２９】
2018142771.tif 000031
【図３０】
2018142771.tif 000032
【図３１】
2018142771.tif 000033
【図３２】
2018142771.tif 000034
【図３３】
2018142771.tif 000035
【図３４】
2018142771.tif 000036
【図３５】
2018142771.tif 000037
【図３６】
2018142771.tif 000038
【図３７】
2018142771.tif 000039
【図３８】
2018142771.tif 000040
【図３９】
2018142771.tif 000041
【図４０】
2018142771.tif 000042
【図４１】
2018142771.tif 000043
【図４２】
2018142771.tif 000044
【図４３】
2018142771.tif 000045
【図４４】
2018142771.tif 000046
【図４５】
2018142771.tif 000047
【図４６】
2018142771.tif 000048
【図４７】
2018142771.tif 000049
【図４８】
2018142771.tif 000050
【国際調査報告】
2018142771.tif 000051
2018142771.tif 000052
2018142771.tif 000053
2018142771.tif 000054